(57)【要約】  表示装置（３）に表示させている表示データのうち、指定値を基準とした範囲の表示データについて、当該表示データの値に応じて、表示装置（３）に表示させている表示データのコントラストとのコントラスト差を変化させた表示データを作成する表示データ作成部（１２）と、表示データ作成部（１２）が作成したコントラスト差を変化させた表示データを、表示装置（３）に表示させる表示制御部（１３）とを備えた。
2017175271.tif 000002
【特許請求の範囲】
【請求項１】
表示装置に表示させている表示データのうち、指定値を基準とした範囲の表示データについて、当該表示データの値に応じて、前記表示装置に表示させている表示データのコントラストとのコントラスト差を変化させた表示データを作成する表示データ作成部と、
前記表示データ作成部が作成した前記コントラスト差を変化させた表示データを、前記表示装置に表示させる表示制御部
とを備えた情報表示制御装置。
【請求項２】
前記表示データ作成部は、
前記指定値を基準とした範囲の表示データの値に応じて、前記コントラスト差を大きくした表示データを作成する
ことを特徴とする請求項１記載の情報表示制御装置。
【請求項３】
前記指定値を基準とした範囲の表示データとは、前記表示装置に表示させている表示データのうち、当該表示データの値が、指定値以上、あるいは、指定値以下の範囲の表示データである
ことを特徴とする請求項１記載の情報表示制御装置。
【請求項４】
前記指定値を基準とした範囲の表示データの最大値、あるいは、最小値における前記コントラスト差が指定された指定情報を受け付ける入力受付部を備え、
前記表示データ作成部は、前記入力受付部が受け付けた指定情報に基づき、前記指定されたコントラスト差までの範囲内で、前記コントラスト差を変化させた表示データを作成する
ことを特徴とする請求項１記載の情報表示制御装置。
【請求項５】
前記表示データ作成部は、前記コントラスト差を、前記表示装置に表示させている表示データの利用用途に基づき設定されたコントラスト差とする
ことを特徴とする請求項１記載の情報制御装置。
【請求項６】
前記表示データ作成部は、前記指定値を基準とした範囲の表示データの値の分布状況に応じてコントラスト差を決定する
ことを特徴とする請求項１記載の情報表示制御装置。
【請求項７】
前記指定値における前記コントラスト差が指定された指定情報を受け付ける入力受付部を備え、
前記表示データ作成部は、前記入力受付部が受け付けた指定情報に基づき、前記指定値における前記コントラスト差までの範囲内で、前記コントラスト差を変化させた表示データを作成する
ことを特徴とする請求項１記載の情報表示制御装置。
【請求項８】
前記指定値を基準とした範囲の表示データとは、前記表示装置に表示させている表示データのうち、当該指定値を含む、当該指定値よりも決められた値だけ小さい値から、当該指定値よりも決められた値だけ大きい値までの範囲の表示データである
ことを特徴とする請求項１記載の情報表示制御装置。
【請求項９】
前記指定値よりも小さい値および前記指定値よりも大きい値とが指定された指定情報を受け付ける入力受付部を備え、
前記表示データ作成部は、前記入力受付部が受け付けた指定情報に基づき前記指定値を基準とした範囲を特定し、当該特定した範囲の表示データについて、前記コントラスト差を変化させた表示データを作成する
ことを特徴とする請求項８記載の情報表示制御装置。
【発明の詳細な説明】
【技術分野】
【０００１】
この発明は、表示画面上に情報を表示させる情報表示制御装置に関するものである。
【背景技術】
【０００２】
例えば、データベース等に収録された複数の値を一覧できるように表示画面上に表示させる場合、扱う値の数が多いほど、当該値をそれぞれ表示する文字等の数が増え、操作者が表示画面上で値を読取る負荷が大きくなる。そのため、従来より、複数の情報を表示画面上に表示させた中から、特定の条件を満たす、指定値の範囲内の値を表示させたい場合には、例えば、当該指定値の範囲内の値を表示する文字等について、他の文字等とのコントラストを変化させることで、指定値の範囲内の値を強調して表示し、視覚的に把握しやすくすることで、目的の値を探す負荷を抑え、値の位置の取り違え、値の読み誤り・見落とし等を引き起こしにくくする工夫がなされている。
他の文字等とのコントラストを変化させることで、指定値の範囲内の値を強調されるようにする技術としては、例えば、特許文献１には、可変値と結び付けられた色彩を使用して、各地域に関連する値の大きさに応じて割り当てられた色を付して地図上の各地域を色分けする技術が開示されている。
特許文献１に開示されているような技術によると、強調させたい指定値の範囲内の数値群内において、数値に応じて結び付けられた色によってさらに色分けが行われるため、指定値の範囲内の値を強調して視覚的に把握しやすくできることに加え、例えば、強調させたい指定値の範囲内に２つ以上の値が含まれるような場合であっても、その値の多寡を視覚的に把握できる。
【先行技術文献】
【特許文献】
【０００３】
【特許文献１】特開平７−１３７２７号公報
【発明の概要】
【発明が解決しようとする課題】
【０００４】
しかしながら、特許文献１に開示されているような技術では、可変値と結び付けられた色彩は決まっており、指定値の範囲内に含まれる値への色分けの程度を調整することができないため、例えば、表示画面上に表示される指定値の範囲内の値が偏っている場合など、表示画面上での値の分布状況によっては、値間のコントラストの差が小さく、人が視覚的に弁別できる程度のコントラスト差が確保されない場合が生じ得るという課題があった。【０００５】
この発明は上記のような課題を解決するためになされたもので、表示装置に表示させる表示データについて、値の多寡を比較する範囲内において、コントラスト差の程度を調整することができる情報表示制御装置を提供することを目的としている。
【課題を解決するための手段】
【０００６】
この発明に係る情報表示制御装置は、表示装置に表示させている表示データのうち、指定値を基準とした範囲の表示データについて、当該表示データの値に応じて、表示装置に表示させている表示データのコントラストとのコントラスト差を変化させた表示データを作成する表示データ作成部と、表示データ作成部が作成したコントラスト差を変化させた表示データを、表示装置に表示させる表示制御部とを備えたものである。
【発明の効果】
【０００７】
この発明によれば、表示装置に表示させる表示データについて、値の多寡を比較する範囲内において、コントラスト差の程度を調整することができる。
【図面の簡単な説明】
【０００８】
【図１】この発明の実施の形態１に係る情報表示制御装置の構成図である。
【図２】この発明の実施の形態１に係る情報表示制御装置において、「操作者からの指示に基づき、データ格納ファイルに格納されているデータを表示装置に表示させる」動作を説明するフローチャートである。
【図３】図２のステップＳＴ２０３において、作成データ表示制御部が表示装置に表示データに基づく画像を表示させた表示画面の一例を示す図である。
【図４】実施の形態１において、指定値表示制御部が表示装置に表示させる指定値入力画面の一例を示す図である。
【図５】実施の形態１において、コントラスト表示制御部が表示装置に表示させるコントラスト調整値入力画面の一例を示す図である。
【図６】実施の形態１において、コントラスト表示制御部が表示装置に表示させるコントラスト調整値入力画面の一例を示す図である。
【図７】この発明の実施の形態１に係る情報表示制御装置において、「表示装置に表示させている表示データについて、操作者からの指示に基づき、コントラストを調整して表示させるようにする」動作を説明するフローチャートである。
【図８】実施の形態１において、指定値入力画面とコントラスト調整値入力画面とが表示された表示画面の一例を示す図である。
【図９】図７のステップＳＴ７０５において、作成データ表示制御部が表示装置３に表示データを表示させた表示画面の一例を示す図である。
【図１０】図１０Ａ，図１０Ｂは、実施の形態１において、表示データの値と、当該値を表示装置に表示させる文字サイズとの関係の一例をグラフで示した概念図である。
【図１１】実施の形態１において、指定値入力画面とコントラスト調整値入力画面とが表示された表示画面の一例を示す図である。
【図１２】実施の形態１において、作成データ表示制御部が表示装置に表示データを表示させた表示画面の一例を示す図である。
【図１３】図１２に示すような、調整後表示データが反映された表示データを表示装置に表示させた場合の、表示データの値と表示される文字サイズの関係の一例を示す図である。
【図１４】この実施の形態１において、操作者によって、指定値に加え、中間値が指定された場合の「表示装置に表示させている表示データについて、操作者からの指示に基づき、コントラストを調整して表示させるようにする」動作を説明するフローチャートである。
【図１５】実施の形態１において、中間値入力部を備えた指定値入力画面の一例を示す図である。
【図１６】図１４のステップＳＴ１４０８において、作成データ表示制御部が表示装置に表示データに基づく表示させた表示画面の一例を示す図である。
【図１７】図１６に示すように表示データに基づく画像を表示装置に表示させた場合の、表示データ値と表示される文字サイズの関係の一例をグラフで示した概念図である。
【図１８】実施の形態１において、指定値を３６０とし、中間値４５０と最大値６００とを同じコントラスト調整値とした場合の、表示データの値と表示される文字サイズの関係の一例をグラフで示した概念図である。
【図１９】実施の形態１において、中間値入力部を複数備えた指定値入力画面の一例を示す図である。
【図２０】実施の形態１において、中間値とコントラスト調整値を同時に指定できるような入力画面の一例を示す図である。
【図２１】実施の形態１において、調整部が、予め決められた関数を用いて表示する文字のサイズを調整するようにした場合の、表示データ値と表示される文字サイズの関係の一例をグラフで示した概念図である。
【図２２】表示データのコントラスト差を変化させるための因子を、文字の背景部分の色の色濃度としてコントラストの調整を行った場合の、表示装置に表示される表示データの一例を示す図である。
【図２３】図２３Ａ，図２３Ｂは、この発明の実施の形態１に係る情報表示制御装置のハードウェア構成の一例を示す図である。
【図２４】この発明の実施の形態２に係る情報表示制御装置において、「操作者からの指示に基づき、データ格納ファイルに格納されているデータを表示装置に表示させる」動作を説明するフローチャートである。
【図２５】実施の形態２において、コントラスト表示制御部が表示装置に表示させるコントラスト調整値入力画面の一例を示す図である。
【図２６】実施の形態２において、指定値表示制御部が表示装置に表示させる指定値入力画面の一例を示す図である。
【図２７】この発明の実施の形態２に係る情報表示制御装置において、「表示装置に表示させている表示データについて、操作者からの指示に基づき、コントラストを調整して表示させるようにする」動作を説明するフローチャートである。
【図２８】実施の形態２において、指定値入力画面とコントラスト調整値入力画面とが表示された表示画面の一例を示す図である。
【図２９】図２７のステップＳＴ２７０５において、作成データ表示制御部が表示装置に表示データに基づく画像を表示させた表示画面の一例を示す図である。
【図３０】図２９に示すような、調整後表示データが反映された表示データに基づく画像を表示装置に表示させた場合の、表示データの値と表示される文字の背景部分の色の色濃度の関係の一例を示す概念図である。
【図３１】この実施の形態２において、操作者によって、指定値に加え、差分値が指定された場合の「表示装置に表示させている表示データについて、操作者からの指示に基づき、コントラストを調整して表示させるようにする」動作を説明するフローチャートである。
【図３２】実施の形態２において、差分値入力部を備えた指定値入力画面の一例を示す図である。
【図３３】図３１のステップＳＴ３１０９において、作成データ表示制御部が表示装置に表示データに基づく画像を表示させた表示画面の一例を示す図である。
【図３４】図３３に示すような、調整後表示データが反映された表示データに基づく画像を表示装置に表示させた場合の、表示データの値と表示される文字の背景部分の色の濃度の関係の一例を示す概念図である。
【図３５】実施の形態２において、差分値入力部を複数備えた指定値入力画面の一例を示す図である。
【図３６】実施の形態２において、調整部が、予め決められた関数を用いて表示する文字の背景部分の色の色濃度を調整するようにした場合の、表示データ値と表示される文字の背景部分の色の濃度の関係の一例のイメージをグラフで示した概念図である。
【発明を実施するための形態】
【０００９】
以下、この発明の実施の形態について、図面を参照しながら詳細に説明する。
実施の形態１．
図１は、この発明の実施の形態１に係る情報表示制御装置１の構成図である。
情報表示制御装置１は、コンピュータ、ワークステーション、パーソナルコンピュータなどであり、ＣＰＵ（Ｃｅｎｔｒａｌ  Ｐｒｏｃｅｓｓｉｎｇ  Ｕｎｉｔ：中央処理装置）やＧＰＵ（Ｇｒａｐｈｉｃ  Ｐｒｏｃｅｓｓｉｎｇ  Ｕｎｉｔ）、ハードディスク等のメモリ、入出力インタフェースといった、標準的なコンピュータが備えているハードウェアと、これらのハードウェアを管理・制御するオペレーティングシステムで構成される。
【００１０】
情報表示制御装置１は、操作者からの指示に基づき、データ格納ファイル４に格納されているデータに基づく画像を表示装置３に表示させる。また、情報表示制御装置１は、操作者からの指示に基づき、表示装置３に画像として表示させている表示データのうち、指定値を基準とした範囲の表示データについて、表示データの値に応じて、表示装置３に表示させている表示データのコントラストとのコントラスト差を変化させて表示装置３に表示させるようにする。
なお、この実施の形態１において、表示装置３に画像として表示させている表示データのコントラストとのコントラスト差を変化させることを、「コントラストを調整する」というものとする。また、表示データとは、数値等のデータであり、コントラストとは、例えば、表示データを文字として表示する際の文字のサイズ、文字の色、文字の太さ、書体の形状的特徴、文字を表示する領域すなわち文字の背景部分の色等、表示データに基づく画像を表示する際の表示方法の適用度合いをいうものとする。この実施の形態１では、一例として、表示装置３には、表示データが文字で表示され、情報表示制御装置１は、表示装置３に表示される文字のサイズを調整するものとする。
【００１１】
図１に示すように、情報表示制御装置１は、入力装置２、表示装置３と接続される。また、データ格納ファイル４が、例えば、サーバ（不図示）に保存され、情報表示制御装置１は、ネットワークを介して当該サーバにアクセスし、データ格納ファイル４を参照する。
この実施の形態１において、表示装置３は、例えば、ＣＲＴ（Ｃａｔｈｏｄｅ  Ｒａｙ  Ｔｕｂｅ）や液晶等のディスプレイ装置であり、情報表示制御装置１の表示制御部１３（詳細は後述する）が出力する作成データに基づく画像を表示する。
また、入力装置２は、例えば、マウス，タッチパネル，キーボード等の入力装置であり、操作者による操作内容を受け付け、図示しない通信部を介して情報表示制御装置１に当該操作者から受け付けた操作内容に関する指示情報を送信する。
【００１２】
情報表示制御装置１は、入力受付部１１と、表示データ作成部１２と、表示制御部１３とを備える。
入力受付部１１は、入力装置２から送信された操作者による操作内容を、指示情報として受け付ける。
表示データ作成部１２は、入力受付部１１が受け付けた指示情報に基づき、データ格納ファイル４に蓄積されているデータを抽出し、当該抽出したデータを、画像として表示装置３に表示させるための表示データを作成する。
また、表示データ作成部１２は、入力受付部１１が受け付けた指示情報に基づき、表示装置３に表示させている表示データのうち、コントラストを調整する範囲を特定し、当該特定した範囲の表示データのコントラストを調整する。すなわち、表示データ作成部１２は、コントラストを調整する範囲の表示データについて、当該表示データの値に応じて、表示装置３に表示させている表示データのコントラストとのコントラスト差を変化させた表示データを作成する。
【００１３】
表示データ作成部１２は、データ作成部１２１と、範囲特定部１２２と、調整部１２３とを備える。
データ作成部１２１は、入力受付部１１が受け付けた指示情報に基づき、データ格納ファイル４に蓄積されているデータを、表示装置３に表示させるための表示データを作成する。また、データ作成部１２１は、表示装置３に表示させている表示データのコントラストを調整する旨の指示情報を入力受付部１１が受け付けた場合は、調整部１２３がコントラストを調整した調整後表示データに基づき、調整後表示データを反映させた、表示装置３に表示させる表示データを作成する。すなわち、データ作成部１２１は、コントラストを調整した表示データに基づく画像を表示装置３に表示させるための表示データを作成する。
【００１４】
範囲特定部１２２は、入力受付部１１が受け付けた指示情報に基づき、表示装置３に表示させている表示データのうち、コントラストを調整する範囲の表示データを特定し、当該特定した範囲の表示データを、入力受付部１１が受け付けたコントラスト値の情報とともに、調整部１２３に出力する。なお、ここでは、入力受付部１１が受け付けるコントラスト差を、コントラスト調整値ともいうものとする。
調整部１２３は、範囲特定部１２２から、コントラストを調整する範囲の表示データとコントラスト調整値の情報とを取得し、当該取得した表示データおよびコントラスト調整の情報に基づき、取得した表示データのコントラストを調整して、調整後表示データを作成する。
【００１５】
表示制御部１３は、入力受付部１１が受け付けた指示情報に基づき、各種入力受付部を表示装置３に表示させる。各種入力受付部については後述する。
また、表示制御部１３は、表示データ作成部１２が作成した表示データに基づく画像を表示装置３に表示させる。
表示制御部１３は、指定値表示制御部１３１と、コントラスト表示制御部１３２と、作成データ表示制御部１３３とを備える。
指定値表示制御部１３１は、表示装置３に、指定値入力画面を表示させる。
コントラスト表示制御部１３２は、表示装置３に、コントラスト調整値入力画面を表示させる。
作成データ表示制御部１３３は、表示データ作成部１２のデータ作成部１２１が作成した表示データを取得し、表示装置３に画像として表示させる。
【００１６】
動作について説明する。
この発明の実施の形態１に係る情報表示制御装置１では、大きくわけて、「操作者からの指示に基づき、データ格納ファイル４に格納されているデータに基づく画像を表示装置３に表示させる」動作と、「表示装置３に表示させている表示データについて、操作者からの指示に基づき、コントラストを調整して表示させるようにする」動作を行う。
【００１７】
図２は、この発明の実施の形態１に係る情報表示制御装置１において、「操作者からの指示に基づき、データ格納ファイル４に格納されているデータに基づく画像を表示装置３に表示させる」動作を説明するフローチャートである。
入力受付部１１は、入力装置２から、データ格納ファイル４に格納されているデータを表示させる指示を受け付けたかどうかを判断する（ステップＳＴ２０１）。具体的には、入力受付部１１は、入力装置２から、データの表示を指示させる、表示開始ボタンが押下された旨の指示情報を受け付けたかどうかを判断する。
ここでは、操作者は、例えば、表示装置３に表示された表示開始ボタンを、入力装置２であるマウスカーソルでクリックする等の操作を行うことで、データ格納ファイル４に格納されているデータの表示指示を行うものとする。入力装置２では、表示開始ボタンが押下された旨の操作内容を指示情報として入力受付部１１へ送信する。入力受付部１１では、ステップＳＴ２０１において、当該表示開始ボタンが押下された旨の指示情報を受け付けたか、すなわち、データ格納ファイル４に格納されているデータを表示させる指示を受け付けたかどうかを判断する。
【００１８】
なお、ここでは、操作者は、表示装置３に表示された表示開始ボタンを押下することでデータの表示を指示するものとしたが、これは一例にすぎず、例えば、音声やジェスチャーによってデータの表示を指示するものであってもよく、入力装置２が、操作者からデータ格納ファイル４に格納されているデータを表示させる指示を受け付けるようになっていればよい。
【００１９】
ステップＳＴ２０１において、データ格納ファイル４に格納されているデータを表示させる指示を受け付けていない場合（ステップＳＴ２０１の“ＮＯ”の場合）、ステップＳＴ２０１の処理を繰り返し、データ格納ファイル４に格納されているデータを表示させる指示を受け付けるまで待機する。
【００２０】
ステップＳＴ２０１において、データ格納ファイル４に格納されているデータを表示させる指示を受け付けた場合（ステップＳＴ２０１の“ＹＥＳ”の場合）、すなわち、入力受付部１１が、入力装置２から、表示開始ボタンが押下された旨の指示情報を受け付けた場合、入力受付部１１は、受け付けた指示情報を表示データ作成部１２のデータ作成部１２１に出力する。
【００２１】
データ作成部１２１は、入力受付部１１から出力された指示情報に基づき、データ格納ファイル４を参照し、データ格納ファイル４に格納されたデータを表示装置３に表示させるための表示データを作成する（ステップＳＴ２０２）。そして、データ作成部１２１は、作成した表示データを、表示制御部１３の作成データ表示制御部１３３に出力する。また、このとき、データ作成部１２１は、作成した表示データを、表示データ作成部１２が参照可能な場所に一時保存しておくようにする。
【００２２】
作成データ表示制御部１３３は、データ作成部１２１から取得した表示データに基づく画像を表示装置３に表示させる（ステップＳＴ２０３）。
ここで、図３は、図２のステップＳＴ２０３において、作成データ表示制御部１３３が表示装置３に表示データに基づく画像を表示させた表示画面の一例を示す図である。
この実施の形態１では、例えば、データ格納ファイル４には、Ａ〜Ｄの４世帯の、１〜４月の４か月分の電気使用量（ｋｗｈ）がそれぞれ格納されているものとすると、作成データ表示制御部１３３は、表示装置３に、図３に示すように、表示データの値、すなわち、データ格納ファイル４に格納されている電気使用量の値を、文字として、世帯ごとに４ヶ月分の一覧表の形式で表示画面に表示させる。
なお、この実施の形態１においては、作成データ表示制御部１３３は、数値データである表示データの値を、一覧表になった文字として表示装置３に表示させるものとしたが、これに限らず、作成データ表示制御部１３３が、表示データの値をどのような形態で表示装置３に表示させるかは適宜設定可能とする。
【００２３】
表示制御部１３の指定値表示制御部１３１は、表示装置３に、指定値入力画面を表示させる（ステップＳＴ２０４）。
図４は、実施の形態１において、指定値表示制御部１３１が表示装置３に表示させる指定値入力画面の一例を示す図である。
図４に示すように、指定値表示制御部１３１は、上限方向指定ボタン４０１、下限方向指定ボタン４０２、指定値入力部４０３，４０４を備えた指定値入力画面を表示させる。
指定値入力画面は、操作者が、表示装置３に表示されている表示データ（図３参照）について、コントラストを調整することで強調して表示させたい値の範囲を指定するための画面である。操作者は、指定値入力画面より、指定値を基準として、コントラストを調整する範囲、すなわち、指定値以上の値を、コントラストを調整する値とするか、指定値以下の値を、コントラストを調整する範囲とするかを指定することができる。具体的には、例えば、操作者は、３００を指定値とし、３００以上の値のデータを、コントラストを調整して強調表示させたい場合、上限方向指定ボタン４０１をマウスカーソル等でクリックして、指定値を境として、指定値以上の値のデータのコントラストを調整するよう指定し、上限方向指定ボタン４０１に対応する、すなわち、上限方向指定ボタン４０１と並べて表示されている指定値入力部４０３に、境とする指定値３００を入力する。なお、操作者によって実際に入力操作が行われる以降の動作については、図７を用いて後述する。
【００２４】
また、逆に、操作者は、指定値入力画面より、指定値を基準として、指定値以下の値を、コントラストを調整する範囲として指定することができる。具体的には、例えば、操作者は、３００を指定値とし、３００以下の値のデータを、コントラストを調整して強調表示させたい場合、下限方向指定ボタン４０２をマウスカーソル等でクリックして、指定値を境として、指定値以下の値のデータのコントラストを調整するよう指定し、下限方向指定ボタン４０２に対応する、すなわち、下限方向指定ボタン４０２と並べて表示されている指定値入力部４０４に、境とする指定値３００を入力する。
【００２５】
なお、ここでは、指定値入力画面は、図４に示すような画面としたが、これは一例にすぎず、操作者が、指定値と、指定値以上の値の範囲を、コントラストを調整する範囲とするか、指定値以下の値の範囲を、コントラストを調整する範囲とするかを指定できるようになっていればよい。
【００２６】
表示制御部１３のコントラスト表示制御部１３２は、表示装置３に、コントラスト調整値入力画面を表示させる（ステップＳＴ２０５）。
図５は、実施の形態１において、コントラスト表示制御部１３２が表示装置３に表示させるコントラスト調整値入力画面の一例を示す図である。
図５に示すように、コントラスト表示制御部１３２は、スライダ５０１とノブ５０２とを備えたコントラスト調整値入力画面を表示させる。また、コントラスト表示制御部１３２は、コントラスト調整値入力画面上に、コントラスト調整値を表示させる。ここでは、コントラスト調整値を１／２、１、１．５、２としている。この実施の形態１では、表示装置３に表示されている値の文字の大きさを調整することを、コントラストを調整するといい、コントラスト調整前の文字サイズを、１とした場合の文字を拡大する倍率をコントラスト調整値とするものとする。
コントラスト調整値入力画面は、操作者が、表示装置３に表示されているデータ（図３参照）のうち、コントラストを調整することで強調して表示させたい表示データの範囲内の最大値、あるいは、最小値におけるコントラスト調整値を指定するための画面である。操作者は、コントラスト調整値入力画面より、マウスカーソル等でスライダ５０１上のノブ５０２をスライドさせ、所望のコントラスト調整値を入力する。
なお、コントラストを調整することで強調して表示させたい表示データの範囲内の最大値とは、上限方向指定ボタン４０１（図４参照）を指定し、指定値を入力した場合の、上限値をいい、コントラストを調整することで強調して表示させたい表示データの範囲内の最小値とは、下限方向指定ボタン４０２（図４参照）を指定し、指定値を入力した場合の、下限値をいう。
【００２７】
図５では、操作者は、現在表示装置３に表示されている文字の大きさを１として、当該現在表示装置３に表示されている文字の大きさの１／２倍から２倍までを、コントラスト調整値として指定できることを意味している。すなわち、操作者は、現在表示装置３に表示されている文字の大きさとのコントラスト差１／２倍から２倍となる大きさの文字を、表示装置３に表示させるようにするコントラスト調整指示を行うことができる。
コントラスト表示制御部１３２は、コントラスト調整値入力画面上に表示させるコントラスト調整値の範囲について、表示装置３の表示画面上、文字等でデータを表示させるそれぞれの表示領域内で、縮小したとしても読取れる程度の大きさから、拡大したとしても表示領域内に収まる程度の大きさまでの倍率を設定し、指定できるコントラスト調整値としてコントラスト調整値入力画面に表示させるようにする。
【００２８】
一般に、データを文字等で表示する視覚的な表示方法には、使用に適した範囲が限られる。弁別しやすいコントラスト差を確保するために、値１単位当たりの表示の拡大率を過度に大きくすると、例えば、文字が表示領域に収まらなくなったり、文字がつぶれて読めなくなったり、また、色分けで表示している場合には表示可能な色域を超えてしまったりして、かえってコントラスト差が得られなくなってしまう、といった問題が生じる。
そこで、この実施の形態１では、コントラスト表示制御部１３２は、上記問題が生じない程度のコントラスト調整値のみ、すなわち、文字等でデータを表示させるそれぞれの表示領域内で、縮小したとしても読取れる程度の大きさから、拡大したとしても表示領域内に収まる程度の大きさまでの倍率のみが指定できるコントラスト調整値入力画面を作成し、上述したような、コントラスト差が得られなくなってしまうような問題を解決する。
【００２９】
なお、縮小したとしても読取れる程度の大きさから、拡大したとしても表示領域内に収まる程度の大きさまでの倍率は、予め設定しておくものとしてもよいし、コントラスト表示制御部１３２が表示領域の大きさから自動的に計算するようにしてもよい。
【００３０】
また、ここでは、コントラスト調整値入力画面は、図５に示すような画面としたが、これは一例にすぎず、例えば、図６に示すように、コントラスト調整値をパーセントで表示するようにしてもよく、操作者が、縮小したとしても読取れる程度の大きさから、拡大したとしても表示領域内に収まる程度の大きさまでの倍率として設定されたコントラスト調整値を指定できるようになっていればよい。
【００３１】
以上のとおり、「操作者からの指示に基づき、データ格納ファイル４に格納されているデータを表示装置３に表示させる」動作において、図３〜図５で説明したような画面が、それぞれ、表示装置３に表示される。
なお、ここでは、図２において、ステップＳＴ２０３〜ステップＳＴ２０５の順で動作の説明をしたが、ステップＳＴ２０３〜ステップＳＴ２０５の動作の順番はこれに限らず、同時に行われるものとしてもよい。
【００３２】
また、ここでは、操作者は、データ格納ファイル４に格納されている全てのデータに基づく画像を表示装置３に表示させる指示を行うものとしたが、操作者は、データ格納ファイル４に格納されているデータのうち、表示装置３に表示させる範囲を入力装置２から指定可能とし、入力受付部１１は、入力装置２から指定された範囲を取得して、データ作成部１２１は、当該取得した範囲のデータをデータ格納ファイル４から抽出して表示データを作成するようにしてもよい。
【００３３】
また、ここでは、表示データに基づく画像を表示装置３に表示させる際に、あわせて、指定値入力画面およびコントラスト調整値入力画面も表示させるものとしたが、これに限らず、指定値入力画面およびコントラスト調整値入力画面は、操作者からの画面呼出操作によって表示されるものとしてもよい。
【００３４】
図７は、この発明の実施の形態１に係る情報表示制御装置１において、「表示装置３に表示させている表示データについて、操作者からの指示に基づき、コントラストを調整して表示させるようにする」動作を説明するフローチャートである。
なお、図７で説明する動作は、図２を用いて説明した「操作者からの指示に基づき、データ格納ファイル４に格納されているデータに基づく画像を表示装置３に表示させる」動作が行われ、表示装置３には、データ格納ファイル４に格納されているデータを表示するデータ表示画面、指定値入力画面、コントラスト調整値入力画面が表示されていることを前提とする。
ここでは、表示装置３には、図３〜図５で説明したような、データ表示画面（図３）、指定値入力画面（図４）、コントラスト調整値入力画面（図５）が表示されているものとして以下説明する。
【００３５】
入力受付部１１は、入力装置２から、指定値を基準とした、コントラストを調整したい範囲におけるコントラスト調整指示を受け付けたかどうかを判断する（ステップＳＴ７０１）。具体的には、入力受付部１１は、入力装置２から、表示装置３に表示させている表示データのコントラストを調整する範囲、および、コントラストを調整することで強調して表示させたい値の範囲内の最大値、あるいは、最小値におけるコントラスト調整値を指示する指示情報を受け付けたかどうかを判断する。
【００３６】
ステップＳＴ７０１において、コントラスト調整指示を受け付けていない場合（ステップＳＴ７０１の“ＮＯ”の場合）、ステップＳＴ７０１の処理を繰り返し、コントラスト調整指示を受け付けるまで待機する。
【００３７】
ステップＳＴ７０１において、コントラスト調整指示を受け付けた場合（ステップＳＴ７０１の“ＹＥＳ”の場合）、入力受付部１１は、受け付けた指示情報を表示データ作成部１２へ出力し、ステップＳＴ７０２へ進む。
ここでは、操作者は、例えば、図４に示す、指定値入力画面より、上限方向指定ボタン４０１をマウスカーソル等でクリックして、指定値を基準として、指定値以上の表示データのコントラストを調整するよう指定し、上限方向指定ボタン４０１に対応するように表示されている、すなわち、上限方向指定ボタン４０１と並べて表示されている指定値入力部４０３に、境とする指定値３００を入力したものとする。また、操作者は、図５に示す、コントラスト調整値入力画面より、指定値３００以上の表示データの範囲内の最大値、すなわち、ここでは図３に示すように表示装置３に表示されている表示データの値のうち最大値である６００におけるコントラスト調整値を２と指定したものとする（図８参照）。なお、図８では、指定値入力画面とコントラスト調整値入力画面をあわせて示している。
【００３８】
ステップＳＴ７０１において、入力受付部１１は、コントラストを調整する範囲、すなわち、指定値を基準とした範囲として、指定値３００以上を範囲とする指示と、コントラストを調整することで強調して表示させたい最大値６００におけるコントラスト調整値２を指定する指示とを指示情報として受け付けたかどうかを判断する。範囲あるいはコントラスト調整値のいずれか一方の指示情報しか受け付けていない場合は、ステップＳＴ７０１へ戻るものとする。
【００３９】
表示データ作成部１２の範囲特定部１２２は、入力受付部１１から出力された指示情報に基づき、表示装置３に表示させている表示データのうち、指定値を基準とした範囲、すなわち、コントラストを調整する範囲を特定し、当該特定した範囲の情報を、指示情報に含まれるコントラスト調整値の情報とともに、調整部１２３に出力する（ステップＳＴ７０２）。具体的には、表示装置３に表示させている表示データは、図２のステップＳＴ２０２において一時保存されているので、範囲特定部１２２は、当該一時保存されている表示データから、値が３００〜６００までの表示データを特定し、当該特定した表示データを抽出する。そして、範囲特定部１２２は、抽出した表示データとともに、値６００の表示データにおけるコントラスト調整値を２とする情報を、調整部１２３に出力する。
【００４０】
表示データ作成部１２の調整部１２３は、範囲特定部１２２から取得した表示データについて、コントラストを調整して、調整後表示データを作成する（ステップＳＴ７０３）。具体的には、調整部１２３は、表示データに含まれる最大値、ここでは、６００を表示する文字が、指定値３００を表示する文字の２倍のサイズとなるよう、取得した表示データに含まれる３００〜６００までの値の表示データを調整し、調整後表示データを作成する。この時、調整部１２３は、取得した表示データに含まれる３００〜６００までの値を表示する文字のサイズは、値の大きさに応じて、正比例の関係でなだらかに変化するよう、調整後表示データを作成する。
調整部１２３は、調整後表示データを表示データ作成部１２のデータ作成部１２１へ出力する。
【００４１】
データ作成部１２１は、調整後表示データと、図２のステップＳＴ２０２において一時保存されている表示データとに基づき、調整後表示データの内容を反映させた表示データを作成する（ステップＳＴ７０４）。
具体的には、データ作成部１２１は、一時保存されている表示データのうち、調整後表示データと重複するデータについて、調整後表示データに置き換えたデータを、表示データとして作成する。そして、データ作成部１２１は、作成した表示データを、作成データ表示制御部１３３へ出力する。
【００４２】
作成データ表示制御部１３３は、データ作成部１２１から取得した表示データに基づく画像を表示装置３に表示させる（ステップＳＴ７０５）。
図９は、図７のステップＳＴ７０５において、作成データ表示制御部１３３が表示装置３に表示データに基づく画像を表示させた表示画面の一例を示す図である。
図９に示すように、３００以上６００までの値について、文字サイズが徐々に大きくなり、値６００は、値３００の２倍の大きさの文字で表示されるようになる。すなわち、調整部１２３によりコントラストが調整された表示データに基づく画像が表示装置３に表示されるようになる。
【００４３】
図１０Ａ，図１０Ｂは、表示データの値と、当該値を表示装置３に表示させる文字サイズとの関係の一例をグラフで示した概念図であり、図１０Ａ，図１０Ｂにおいて、横軸は、表示データに含まれる値を示し、縦軸はコントラスト調整値を示している。図１０Ａは、図３に示すような、コントラスト調整前の表示データに基づく画像を表示装置３に表示させた場合の、表示データの値と表示される文字サイズの関係を示している。図１０Ａにおいては、３００〜６００の表示データは、コントラスト調整前であるため、すべてコントラスト調整値１で表示される。
また、図１０Ｂは、図９に示すような、調整後表示データが反映された表示データに基づく画像を表示装置３に表示させた場合の、表示データの値と表示される文字サイズの関係を示している。図１０Ｂにおいては、３００から６００にかけて、正比例の関係でなだらかに文字サイズが大きくなり、最大値である値６００において、文字サイズは、値３００を表示する文字サイズの２倍となる。
【００４４】
以上のように、「表示装置３に表示させている表示データについて、操作者からの指示に基づき、コントラストを調整して表示させるようにする」動作において、操作者の指示に基づき、表示装置３に表示させている表示データの文字サイズのコントラストが調整されて表示されるようになる。
これにより、表示装置３に表示される表示データのうち、指定された範囲内で、すなわち、特に値の多寡を比較したい範囲内において、表示データを、把握しやすい態様で表示させることができる。その結果、操作者の、表示画面から数値情報を読取る作業への負担を少なくし、誤読や見落としを低減することができる。
【００４５】
また、以上の説明においては、指定値を３００とし、３００以上の範囲を、コントラストを調整することで強調して表示させたい値の範囲とした。すなわち、表示装置３に表示させている表示データを全て、コントラストの調整の範囲とする例をあげた。しかしながら、これに限らず、表示装置３に表示させている表示データの一部をコントラストの調整の範囲とできることは言うまでもない。
操作者は、例えば、指定値入力画面より、上限方向指定ボタン４０１をマウスカーソル等でクリックして、指定値入力部４０３に、基準とする指定値３６０を入力し、コントラスト調整値入力画面より、表示装置３に表示されているデータの値のうち最大値である６００のコントラスト調整値を２と指定することもできる（図１１参照）。
この場合、図７のステップＳＴ７０５において、表示装置３には、図１２に示すような画面が表示される。
図１３は、図１２に示すような、調整後表示データが反映された表示データに基づく画像を表示装置３に表示させた場合の、表示データの値と表示される文字サイズの関係の一例を示している。図１３においては、３００から３６０まではコントラスト調整値１で表示され、３６０から６００にかけて、正比例の関係でなだらかに文字サイズが大きくなり、最大値である値６００において、文字サイズは、値３６０を表示する文字サイズの２倍となる。
【００４６】
また、ここでは、図７のステップＳＴ７０４において、表示装置３に調整後表示データを反映させた表示データに基づく画像を表示させた後、処理終了するものとしたが、再度、操作者から調整指示を受け付け、コントラストの調整を再度行うようにしてもよい。
例えば、図９に示すように表示装置３に表示データに基づく画像が反映された後、操作者から、図１１に示すように、コントラストを調整することで強調して表示させたい値の範囲およびコントラスト調整値の入力を再度受け付け、当該受け付けた指示に基づいて、図１２に示すように表示データに基づく画像を表示させるようにしてもよい。
【００４７】
また、指定値と、コントラストを調整することで強調して表示させたい値の範囲内の最大値、あるいは、最小値との間に中間値をさらに指定できるようにし、指定値から中間値までのコントラストの調整率、すなわち、ここでは、文字サイズの変化率と、中間値から、コントラストを調整することで強調して表示させたい値の範囲内の最大値、あるいは、最小値までの文字サイズの変化率を変えるようにすることもできるので、以下詳細に説明する。
図１４は、この実施の形態１において、操作者によって、指定値に加え、中間値が指定された場合の「表示装置３に基づく画像を表示させている表示データについて、操作者からの指示に基づき、コントラストを調整して表示させるようにする」動作を説明するフローチャートである。
図１４で説明する動作も、図７で説明した動作同様、「操作者からの指示に基づき、データ格納ファイル４に格納されているデータを表示装置３に表示させる」動作が行われ、表示装置３には、データ格納ファイル４に格納されているデータを表示するデータ表示画面、指定値入力画面、コントラスト調整値入力画面が表示されていることを前提とする。
ここでは、表示装置３には、図３に示したデータ表示画面が表示されているものとする。
【００４８】
指定値入力画面については、指定値表示制御部１３１が、図１５に示すように、上限方向指定ボタン４０１、下限方向指定ボタン４０２、指定値入力部４０３，４０４に加え、中間値入力部１５０１を備えた指定値入力画面を表示装置３に表示させるようにする（図２のステップＳＴ２０４参照）。また、コントラスト調整値入力画面については、コントラスト表示制御部１３２が、図１５に示すように、スライダ５０１とノブ５０２に加え、スライダ１５０２とノブ１５０３とを備えたコントラスト調整値入力画面を表示装置３に表示させるようにする（図２のステップＳＴ２０５参照）。なお、コントラスト表示制御部１３２は、スライダ５０１，ノブ５０２を、指定値入力画面の指定値入力部４０３，４０４に対応させ、スライダ１５０２，ノブ１５０３を、指定値入力画面の中間値入力部１５０１に対応させて表示させるようにする。ここでいう対応させるとは、例えば、横に並べて表示することをいうが、これに限らず、指定値におけるコントラスト調整値を入力させる入力部であること、および、中間値におけるコントラスト調整値を入力させる入力部であることがわかるように表示されていればよい。
【００４９】
操作者は、入力装置２であるキーボード等を介して、中間値入力部１５０１に、指定値と、コントラストを調整することで強調して表示させたい値の範囲内の最大値、あるいは、最小値との間に、文字サイズの変化率を変える境の値となる中間値を入力することができる。また、操作者は、入力装置２であるマウスカーソル等を介して、ノブ１５０３をスライドさせることで、中間値におけるコントラスト調整値を指定することができる。
【００５０】
入力受付部１１は、入力装置２から、コントラスト調整指示を受け付けたかどうかを判断する（ステップＳＴ１４０１）。具体的な動作は、図７のステップＳＴ７０１と同様であるため、重複した説明を省略する。
ステップＳＴ１４０１において、コントラスト調整指示を受け付けていない場合（ステップＳＴ１４０１の“ＮＯ”の場合）、ステップＳＴ１４０１の処理を繰り返し、コントラスト調整指示を受け付けるまで待機する。
ステップＳＴ１４０１において、コントラスト調整指示を受け付けた場合（ステップＳＴ１４０１の“ＹＥＳ”の場合）、入力受付部１１は、中間値指示を受け付けたかどうかを判断する（ステップＳＴ１４０２）。具体的には、入力受付部１１は、入力装置２から、中間値の情報を指示情報として受け付けたかどうかを判断する。
【００５１】
ステップＳＴ１４０２において、中間値指示を受け付けていない場合（ステップＳＴ１４０２の“ＮＯ”の場合）、図７のステップＳＴ７０２に進む。以降、図７で説明した処理を行う。
【００５２】
ステップＳＴ１４０２において、中間値指示を受け付けた場合（ステップＳＴ１４０２の“ＹＥＳ”の場合）、入力受付部１１は、受け付けた指示情報を表示データ作成部１２へ出力し、ステップＳＴ１４０３へ進む。ここでは、例えば、操作者は、図１５に示すように、指定値入力画面より、上限方向指定ボタン４０１をマウスカーソル等でクリックして、指定値を基準として、指定値以上の表示データのコントラストを調整するよう指定し、上限方向指定ボタン４０１に対応する、すなわち、上限方向指定ボタン４０１と並べて表示されている指定値入力部４０３に、境とする指定値３６０を入力し、中間値入力部１５０１には、４５０を入力したものとする。また、操作者は、図１５に示すように、コントラスト調整値入力画面より、指定値３６０以上の表示データの範囲内の最大値、すなわち、ここでは表示装置３に表示されている表示データ（図３参照）の最大値である６００におけるコントラスト調整値を２と指定し、中間値４５０におけるコントラスト調整値として１．７を指定したものとする。なお、この場合の、ステップＳＴ１４０１で入力受付部１１が受け付けた指示情報には、指定値を基準とした範囲、すなわち、コントラストを調整する範囲を指定値３６０以上の範囲とする指示と、中間値４５０の情報と、コントラストを調整することで強調して表示させたい指定値を基準とした範囲の最大値６００におけるコントラスト調整値を２とする情報と、中間値４５０におけるコントラスト調整値を１．７とする情報とが含まれる。
【００５３】
範囲特定部１２２は、入力受付部１１から出力された指示情報に基づき、表示装置３に表示させている表示データのうち、指定値から中間値までの範囲を特定し、当該特定した範囲の情報を、指示情報に含まれる、中間値におけるコントラスト調整値の情報とともに、調整部１２３に出力する（ステップＳＴ１４０３）。具体的には、表示装置３に表示させている表示データは、図２のステップＳＴ２０２において一時保存されているので、範囲特定部１２２は、当該一時保存されている表示データから、値が３６０〜４５０までの表示データを特定し、当該特定した表示データを抽出する。そして、範囲特定部１２２は、抽出した表示データとともに、コントラスト調整値を１．７とする情報を、調整部１２３に出力する。
【００５４】
調整部１２３は、ステップＳＴ１４０３において範囲特定部１２２から取得した表示データについて、コントラストを調整して、第１の調整後表示データを作成する（ステップＳＴ１４０４）。具体的には、調整部１２３は、中間値４５０を表示する文字が、指定値３６０を表示する文字の１．７倍のサイズとなるよう、取得した表示データに含まれる３６０〜４５０までの値の表示データを調整し、第１の調整後表示データを作成する。この時、調整部１２３は、取得した表示データに含まれる３６０〜４５０までの値を表示する文字のサイズは、値の大きさに応じて、正比例の関係でなだらかに変化するよう、調整後表示データを作成する。
調整部１２３は、第１の調整後表示データを表示データ作成部１２のデータ作成部１２１へ出力する。
【００５５】
範囲特定部１２２は、入力受付部１１から出力された指示情報に基づき、表示装置３に表示させている表示データのうち、中間値から、コントラストを調整する範囲の最小値あるいは最大値までの範囲を特定し、当該特定した範囲の情報を、指示情報に含まれるコントラストを調整する範囲の最小値あるいは最大値におけるコントラスト調整値の情報とともに、調整部１２３に出力する（ステップＳＴ１４０５）。具体的には、表示装置３に表示させている表示データは、図２のステップＳＴ２０２において一時保存されており、ここでは、指定値３６０以上の表示データを、コントラストを調整する範囲としているので、範囲特定部１２２は、当該一時保存されている表示データから、値が４５０〜６００までの表示データを特定し、当該特定した表示データを抽出する。そして、範囲特定部１２２は、抽出した表示データとともに、コントラスト調整値を２とする情報を、調整部１２３に出力する。
【００５６】
調整部１２３は、ステップＳＴ１４０５において範囲特定部１２２から取得した表示データについて、コントラストを調整して、第２の調整後表示データを作成する（ステップＳＴ１４０６）。具体的には、調整部１２３は、６００を表示する文字が、指定値３６０を表示する文字の２倍のサイズとなるよう、取得した表示データに含まれる４５０〜６００までの値の表示データを調整し、第２の調整後表示データを作成する。すなわち、指定値３６０の文字のサイズの１．７倍〜２倍までの大きさとなるよう、４５０〜６００までの表示データのコントラストを調整し、第２の調整後表示データを作成する。この時、調整部１２３は、取得した表示データに含まれる４５０〜６００までの値を表示する文字のサイズは、値の大きさに応じて、正比例の関係でなだらかに変化するよう、調整後表示データを作成する。
調整部１２３は、第２の調整後表示データを表示データ作成部１２のデータ作成部１２１へ出力する。
【００５７】
データ作成部１２１は、第１の調整後表示データと、第２の調整後表示データと、図２のステップＳＴ２０２において一時保存されている表示データとに基づき、第１の調整後表示データおよび第２に調整後表示データの内容を反映させた表示データを作成する（ステップＳＴ１４０７）。
具体的には、データ作成部１２１は、一時保存されている表示データのうち、第１の調整後表示データあるいは第２の調整後表示データと重複するデータについて、それぞれ、第１の調整後表示データあるいは第２の調整後表示データに置き換えたデータを、表示データとして作成する。すなわち、ここでは、データ作成部１２１は、表示装置３に表示させていた表示データの最小値３００から指定値３６０までは、調整前の表示データ、すなわち、一時保存されていた表示データの内容であり、指定値３６０から中間値４５０までは第１の調整後表示データの内容であり、中間値４５０から表示装置３に表示させていた表示データの最大値６００までは第２の調整後表示データの内容となる表示データを作成する。
そして、データ作成部１２１は、作成した表示データを、作成データ表示制御部１３３へ出力する。
【００５８】
作成データ表示制御部１３３は、データ作成部１２１から取得した表示データに基づく画像を表示装置３に表示させる（ステップＳＴ１４０８）。
図１６は、図１４のステップＳＴ１４０８において、作成データ表示制御部１３３が表示装置３に表示データに基づく画像を表示させた表示画面の一例を示す図である。
図１６に示すように、３００〜３６０までの文字サイズは変わらず、３６０以上４５０までの値について、４５０の文字サイズが３６０の文字サイズの１．７倍となるようになだらかに文字サイズが徐々に大きくなり、４５０以上６００までの値について、３６０の文字サイズの１．７倍から２倍まで、なだらかに文字サイズが徐々に大きくなる大きさの文字で表示されるようになる。
図１７は、図１６に示すように表示データに基づく画像を表示装置３に表示させた場合の、表示データ値と表示される文字サイズの関係の一例をグラフで示した概念図である。
図１７に示すように、３００〜３６０までは、コントラスト調整が行われていないため、コントラスト調整値１で表示される。３６０〜４５０まで、および、４５０〜６００までは、正比例の関係でなだらかに文字サイズが大きくなり、最大値である値６００において、文字サイズは、値３６０を表示する文字サイズの２倍となる。
また、３６０〜４５０までと、４５０〜６００までとでは、コントラスト差を変化させる割合であるコントラスト調整率、すなわち、文字サイズの変化率が異なり、３６０〜４５０までの値の変化率が大きくなっており、当該３６０〜４５０までの範囲では、差分が視覚的に把握されやすい表示となっている。
このように、この実施の形態１に係る情報表示制御装置１では、コントラストを調整することで強調して表示させたい値の範囲内において、コントラスト差を変化させる割合を変えることで、特に差分を視覚的に把握しやすいようにすることができる。
【００５９】
なお、ここでは、表示装置３に表示されている表示データ（図３参照）のうち最大値である６００におけるコントラスト調整値を２と指定し、中間値４５０におけるコントラスト調整値として１．７を指定したものとし、コントラストを調整することで強調して表示させたい値の範囲内において、コントラスト差を変化させる割合、すなわち、コントラストの調整の割合を変えるようにしたが（図１７参照）、これに限らず、例えば、中間値４５０におけるコントラスト調整値も、表示装置３に表示されている表示データの最大値である６００のコントラスト調整値同様、２を指定するようにしてもよい。
この場合、所望の値、すなわち、上記例では中間値４５０で、コントラスト差が上限を迎えるようにすることができる。
図１８は、指定値を３６０とし、中間値４５０と最大値６００とを同じコントラスト調整値とした場合の、表示データの値と表示される文字サイズの関係の一例をグラフで示した概念図である。
図１８に示すように、中間値４５０で、文字サイズは、指定値３６０の文字サイズの２倍、すなわち、拡大したとしても表示領域内に収まる程度の、最大の大きさとなる。そして、中間値４５０〜最大値６００まで、当該文字サイズが維持される。
このように、例えば、ある値以上の値について、その値によらず、同じ文字サイズとなるようコントラストを調整するようにすることもできる。
【００６０】
また、図１４を用いた上述の説明では、中間値は１つのみ指定できる例を示したが、これに限らず、中間値はいくつ設定してもよい。
例えば、図１９に示すように、指定値表示制御部１３１は、指定値入力画面には、中間値追加ボタン１５０７を表示させるようにし、操作者は、マウスカーソル等の入力装置２より指定値入力画面に表示されている中間値追加ボタン１５０７の押下に応じて、中間値入力部１５０１と、当該中間値入力部１５０１に対応するスライダ１５０２およびノブ１５０３、さらに、中間値入力部１５０４と、当該中間値入力部１５０４に対応するスライダ１５０５およびノブ１５０６を表示させる指示を行い、当該指示に基づき、指定値表示制御部１３１およびコントラスト表示制御部１３２が、それぞれ、図１９に示すような指定値入力画面およびコントラスト調整値入力画面を表示させるようにする。
そして、操作者によって入力された中間値に応じて、範囲特定部１２２がコントラストを調整する範囲およびコントラスト調整値の情報を調整部１２３に出力し、調整部１２３において、範囲特定部１２２から取得したコントラストを調整する範囲およびコントラスト調整値の情報に基づき、それぞれ、調整後表示データを作成するようにすればよい。
なお、図１９においては、中間値を２つ指定するものとしているが、さらに中間値追加ボタン１５０７を押下することで、中間値入力部を追加でき、３つ以上の中間値を指定するようにすることもできる。
【００６１】
また、図１４を用いた上述の説明では、操作者は、中間値は指定値入力画面、コントラスト調整値はコントラスト調整値入力画面より入力するものとして説明したが、これに限らず、例えば、指定値表示制御部１３１、あるいは、コントラスト表示制御部１３２が、図２０に示すように、中間値とコントラスト調整値を同時に指定できるような入力画面を表示させるようにしてもよい。
操作者は、図２０に示すような入力画面から、ポインティングデバイス等の入力装置２より、入力したい中間値およびコントラスト調整値が交わる点を指示することで、中間値とコントラスト調整値を同時に指定できるようになる。
【００６２】
また、この実施の形態１では、操作者が、コントラスト調整値入力画面から、コントラスト調整値を指定するものとしたが、これに限らず、情報表示制御装置１がコントラスト調整値を設定するものとしてもよい。
具体的には、入力受付部１１は、入力装置２から、表示装置３に表示させているデータのコントラストを調整する範囲が指定された指示情報のみを受け付け、範囲特定部１２２に出力する。範囲特定部１２２では、入力受付部１１から取得した、コントラストを調整する範囲の表示データを、調整部１２３に出力する。
【００６３】
そして、調整部１２３では、図示しない要部帯域定義ファイルを参照し、当該要部帯域定義ファイルに基づきコントラストを調整する。
要部帯域定義ファイルには、予め、データ格納ファイル４に格納されているデータの値に基づき、当該データの利用用途等に応じて、強調表示すべき範囲、すなわち、コントラストを調整する範囲、および、コントラスト調整値が定義されているものとする。つまり、要部帯域定義ファイルには、コントラストを調整する範囲の値のコントラスト差の割り当てが定義されているものとする。要部帯域定義ファイルに定義されるコントラストを調整する範囲の値のコントラスト差の割り当ては、例えば、システムの用途、あるいは、目的に沿って注視されるべき値の帯域が割り当てられていればよい。
コントラスト差は、例えば、データ格納ファイル４に格納されているデータの最小値を基準としたコントラスト差としてもよいし、データ格納ファイル４に格納されているデータのうち、基準となる値を設定し、当該基準となる値からのコントラスト差が定義されているようにしてもよく、調整部１２３が、要部帯域定義ファイルに基づき、どの程度のコントラスト調整を行えばよいかを判断できるようになっていればよい。
なお、利用用途に応じて、コントラストを調整する範囲、および、コントラスト調整値を定義し、コントラスト差を割り当てる具体的な例としては、以下のような例があげられる。
例えば、表示装置３には、装置ａ〜ｄ号機の、１〜４月の４か月分の期間の各種データの値を表示させるものとし、需要が時間ごとに増減する製品を、生産能力の異なる装置ａ〜ｄ号機を並列で用いて生産する場合であって、表示装置３に表示させる情報は、号機ごとの生産数割当てを計画する表として用いられるものとする。この場合、号機ごとの、時間あたりに生産可能な数、あるいは、高効率で運転できる最小数の制約と、需要の予測を鑑みて、号機ごとの割当ての変更を判断しやすいように、見極めの基準値近傍の値が見極めやすいよう、コントラスト差を大きく割り当てる値の帯域を切り替える。
また、例えば、装置ａ〜ｄ号機の性能限界への余力に応じてコントラスト調整の程度を、表示装置３に表示させる一覧表の行ごとに差別化するようにしてもよい。
【００６４】
調整部１２３は、範囲特定部１２２から取得した範囲の表示データと、要部帯域定義ファイルで定義されている強調表示すべき範囲とを突き合わせ、強調表示すべき範囲と合致した場合に、予め定義されているコントラスト調整値に基づいて、調整後表示データを作成する。
【００６５】
その他、例えば、調整部１２３は、範囲特定部１２２から取得した表示データ、すなわち、指定値を基準とした範囲の表示データの、値の分布状況に基づいて、範囲特定部１２２から取得した、指定値を基準とした範囲内の表示データのコントラスト差を割り当てるようにしてもよい。
値の分布状況に基づいてコントラスト差を割り当てる一例として、例えば、表示装置３には、装置ａ〜ｄ号機の、１〜４月の４か月分の期間の各種データの値を表示させるものとし、メンテナンスを実施すべき号機を選ぶために、性能低下の著しい号機を見極める場合を例に説明すると、ノイズとなるデータを除けば、全体になだらかな性能低下を示す数値群について、その傾向を把握するために適した帯域へのコントラスト差を大きくすることがあげられる。これにより、コントラスト差の著しい号機を見つけやすくなる。
なお、調整部１２３は、値の分布状況については、既存のアルゴリズムを用いて算出するようにすればよい。
【００６６】
また、この実施の形態１では、調整部１２３は、表示する文字のサイズを、値の大きさに正比例の関係でなだらかに変化するよう、調整後表示データを作成するものとしたが、これに限らず、調整部１２３は、表示する文字のサイズを、予め決められた関数を用いて調整し、調整後表示データを作成するようにしてもよい。
図２１は、実施の形態１において、調整部１２３が、予め決められた関数を用いて表示する文字のサイズを調整するようにした場合の、表示データ値と表示される文字サイズの関係の一例をグラフで示した概念図である。
また、例えば、予め、コントラストを調整する際に表示する文字のサイズを、値と対応付けて定義した処理内容定義ファイルを用意しておくようにし、調整部１２３は、表示する文字のサイズを、当該処理内容定義ファイルに基づいて調整し、調整後表示データを作成するようにしてもよい。
【００６７】
また、この実施の形態１では、表示装置３に表示させている表示データを強調して表示させるため、文字のサイズを大きくするようにコントラストを変化させる例をあげて説明したが、これに限らず、例えば、文字のサイズを小さくするようにコントラストを変化させるようにしてもよい。その場合、操作者は、コントラスト調整値入力画面より、マウスカーソル等でスライダ５０１上のノブ５０２を１よりもマイナス方向へスライドさせ、所望のコントラスト調整値を入力するようにすればよい。
【００６８】
また、この実施の形態１では、コントラスト調整値を、マウスカーソル等でスライダ５０１上のノブ５０２をスライドさせることで入力するものとしたが、これに限らず、例えば、操作者は、入力装置２であるキーボード等より、数値を入力する等、その他の方法によってコントラスト調整値を入力するようにしてもよい。
【００６９】
また、この実施の形態１では、一例として、表示データのコントラスト差を変化させるための因子を文字サイズとしたが、これに限らず、例えば、文字の色、太さ、書体の形状的特徴を、コントラスト差を変化させるための因子としてもよいし、文字の背景部分の色を、コントラスト差を変化させるための因子としてもよい。また、複数のコントラスト差を変化させるための因子を組み合わせ、指定された範囲ごとに当該因子を割り当てるようにしてもよい。
図２２は、表示データのコントラスト差を変化させるための因子を、文字の背景部分の色の色濃度としてコントラストの調整を行った場合の、表示装置３に表示される表示データの一例を示す図である。
図２２に示すように、操作者は、表示装置３の表示画面を確認し、文字の表示領域の背景色の違いによって、値の大きさの差を弁別することができるようになる。
【００７０】
また、この実施の形態１では、操作者は、指定値入力画面より、指定値を入力し、指定値を基準として、指定値以上、表示装置３に表示させている最大値まで、あるいは、指定値以下、表示装置３に表示させている最小値までを、コントラストを調整する範囲として指定するものとしたが、これに限らず、操作者は、指定値からどの値までを、コントラストを調整する範囲とするのかを指定するようにしてもよい。
具体的には、例えば、指定値表示制御部１３１は、指定値に加え、終了値入力部を備えた指定値入力画面を表示装置３に表示させるようにし、操作者は、当該終了値入力部に、指定値を始点として、コントラストを調整する範囲の終点とする値を入力するようにする。
そして、範囲特定部１２２は、指定値から、終了値入力部に入力された値までの範囲の表示データを、コントラストを調整する範囲の表示データとして抽出し、調整部１２３に出力するようにすればよい。
【００７１】
また、この実施の形態１では、操作者は、指定値表示制御部１３１は、上限方向指定ボタン４０１，下限方向指定ボタン４０２を備えた指定値入力画面を表示させるようにし（図４参照）、操作者は、指定値を基準とした範囲として、指定値以上とするか、指定値以下とするかを指定するようにしたが、操作者が指定値以上とするか、指定値以下とするかを指定するのではなく、情報表示制御装置１において、自動的に指定値以上とするか、指定値以下とするかを決定するようにしてもよい。その場合、指定値表示制御部１３１は、上限方向指定ボタン４０１，下限方向指定ボタン４０２は指定値入力画面に表示させず、操作者は、指定値入力画面から指定値のみ入力する。
【００７２】
図２３Ａ，図２３Ｂは、この発明の実施の形態１に係る情報表示制御装置１のハードウェア構成の一例を示す図である。
この発明の実施の形態１において、入力受付部１１と、表示データ作成部１２と、表示制御部１３の各機能は、処理回路２３０１により実現される。すなわち、情報表示制御装置１は、操作者からの操作を受け付け、受け付けた操作内容に基づき、表示装置３に表示させる表示データのコントラストの調整を行うための処理回路２３０１を備える。
処理回路２３０１は、図２３Ａに示すように専用のハードウェアであっても、図２３Ｂに示すようにメモリ２３０３に格納されるプログラムを実行するＣＰＵ（Ｃｅｎｔｒａｌ  Ｐｒｏｃｅｓｓｉｎｇ  Ｕｎｉｔ）２３０４であってもよい。
【００７３】
処理回路２３０１が専用のハードウェアである場合、処理回路２３０１は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、またはこれらを組み合わせたものが該当する。
【００７４】
処理回路２３０１がＣＰＵ２３０４の場合、入力受付部１１と、表示データ作成部１２と、表示制御部１３の各機能は、ソフトウェア、ファームウェア、または、ソフトウェアとファームウェアとの組み合わせにより実現される。すなわち、入力受付部１１と、表示データ作成部１２と、表示制御部１３は、ＨＤＤ（Ｈａｒｄ  Ｄｉｓｋ  Ｄｒｉｖｅ）２３０２、メモリ２３０３等に記憶されたプログラムを実行するＣＰＵ２３０４、システムＬＳＩ（Ｌａｒｇｅ−Ｓｃａｌｅ  Ｉｎｔｅｇｒａｔｉｏｎ）等の処理回路により実現される。また、ＨＤＤ２３０２、メモリ２３０３等に記憶されたプログラムは、入力受付部１１と、表示データ作成部１２と、表示制御部１３の手順や方法をコンピュータに実行させるものであるとも言える。ここで、メモリ２３０３とは、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）等の、不揮発性または揮発性の半導体メモリや、磁気ディスク、フレキシブルディスク、光ディスク、コンパクトディスク、ミニディスク、ＤＶＤ（Ｄｉｇｉｔａｌ  Ｖｅｒｓａｔｉｌｅ  Ｄｉｓｃ）等が該当する。
【００７５】
なお、入力受付部１１と、表示データ作成部１２と、表示制御部１３の各機能について、一部を専用のハードウェアで実現し、一部をソフトウェアまたはファームウェアで実現するようにしてもよい。例えば、入力受付部１１については専用のハードウェアとしての処理回路２３０１でその機能を実現し、表示データ作成部１２と、表示制御部１３については処理回路がメモリ２３０３に格納されたプログラムを読み出して実行することによってその機能を実現することが可能である。
【００７６】
以上のように、実施の形態１によれば、表示装置３に表示させている表示データの文字サイズのコントラストを調整して表示させることができる。すなわち、表示装置３に表示させている表示データのうちの指定値を基準とした範囲において、表示装置３に表示させている表示データのコントラストとのコントラスト差を変化させて表示させることができる。
これにより、表示装置３に表示される表示データのうち、指定された範囲内で、すなわち、特に値の多寡を比較したい範囲内において、表示データを、把握しやすい態様で表示させることができる。その結果、操作者の、表示画面から数値情報を読取る作業への負担を少なくし、誤読や見落としを低減することができる。
【００７７】
実施の形態２．
実施の形態１では、表示装置３に表示させている表示データの数値に関し、指定値を基準として、指定値以上、あるいは、指定値以下の範囲内で、値を表示する文字のサイズのコントラストを調整することで、値の多寡を比較しやすいように表示させる実施の形態を説明したが、この実施の形態２では、表示装置３に表示させている表示データのある指定値周辺の値の範囲を、指定値を基準とした範囲とし、指定値とその周辺値のコントラストを調整することで、指定値と、その周辺値との近似度合いをつかみやすいように表示データを表示させる実施の形態について説明する。
【００７８】
この発明の実施の形態２に係る情報表示制御装置１の構成は、実施の形態１において図１を用いて説明したものと同様であるため、重複した説明を省略する。また、この発明の実施の形態２に係る情報表示制御装置１のハードウェア構成は、実施の形態１において図２３Ａ，図２３Ｂを用いて説明したものと同様であるため、重複した説明を省略する。
【００７９】
動作について説明する。
この発明の実施の形態２に係る情報表示制御装置１においても、実施の形態１に係る情報表示制御装置１同様、大きくわけて、「操作者からの指示に基づき、データ格納ファイル４に格納されているデータに基づく画像を表示装置３に表示させる」動作と、「表示装置３に表示させている表示データについて、操作者からの指示に基づき、コントラストを調整して表示させるようにする」動作を行う。
なお、実施の形態１では、一例として、表示装置３には、表示データが文字で表示され、情報表示制御装置１は、表示データを表示する文字のサイズをコントラスト差を変化させるための因子として、文字のサイズを調整し、コントラスト差を変化させるものとしたが、この実施の形態２では、表示装置３に表示させる文字の背景部分の色を、コントラスト差を変化させるための因子とするものとする（図２２参照）
【００８０】
図２４は、この発明の実施の形態２に係る情報表示制御装置１において、「操作者からの指示に基づき、データ格納ファイル４に格納されているデータに基づく画像を表示装置３に表示させる」動作を説明するフローチャートである。
図２４のステップＳＴ２４０１〜ステップＳＴ２４０３，ステップＳＴ２４０５の動作は、実施の形態１で説明した図２のステップＳＴ２０１〜ステップＳＴ２０３，ステップＳＴ２０５の動作と同様であるため、重複した説明を省略し、実施の形態１とは異なる動作についてのみ説明する。なお、データ格納ファイル４には、実施の形態１と同様のデータが格納されており、ステップＳＴ２４０３において、表示装置３には、図３で示すような表示データに基づく画像が表示されているものとする。また、ここでは、表示データの値のコントラストを変化させるための因子を文字の背景部分の色としているので、ステップＳＴ２４０５において、コントラスト表示制御部１３２は、図２５に示すような、コントラスト調整値入力画面を表示装置３に表示させるものとする。図２５において、操作者は、スライダ２５０１のノブ２５０２をスライドさせて、指定値におけるコントラスト調整値、すなわち、ここでは、文字の背景部分の色の色濃度（％）を調整させる指示を行う。
【００８１】
この実施の形態２では、図２５に示すようなコントラスト調整値入力画面で指定する色濃度を、図３に示すような、「操作者からの指示に基づき、データ格納ファイル４に格納されているデータに基づく画像を表示装置３に表示させる」動作で表示されている表示データのコントラストとのコントラスト差、すなわち、コントラスト調整値というものとする。文字の背景部分の色の色濃度が０％は、背景部分の色について、表示装置３に表示させている文字の背景部分の色とのコントラスト差がない、すなわち、コントラスト調整前の文字の背景部分の色と同じ濃度であることを意味し、当該０％から、濃くできる最大の濃度、すなわち、色濃度１００％の濃度は、適宜設定可能である。どの程度濃くなった状態を色濃度１００％とするかは、文字の背景部分の色によって表示させている文字が塗りつぶされない程度、すなわち、文字が識別可能な程度の色濃度が設定されるようになっていればよい。
【００８２】
この実施の形態２では、コントラスト表示制御部１３２は、文字等を表示する背景部分の色濃度が、過度に濃くなり文字等が読めなくなったり、かえってコントラスト差が得られなくなってしまうという問題が生じない程度のコントラスト調整値を指定可能とするコントラスト調整値入力画面を表示させる。すなわち、操作者は、文字等で表示データを表示させるそれぞれの表示領域の背景部分の色濃度が、文字等を読み取れる程度の上限内で、文字等の背景部分の色を濃くなるようにすることができる。
【００８３】
この実施の形態２では、指定値表示制御部１３１は、ステップＳＴ２４０４において、指定値と、近似範囲を入力するための指定値入力画面を表示装置３に表示させる。
図２６は、実施の形態２において、指定値表示制御部１３１が表示装置３に表示させる指定値入力画面の一例を示す図である。
図２６に示すように、指定値表示制御部１３１は、指定値入力部２６０１、近似範囲入力部２６０２を備えた指定値入力画面を表示させる。
【００８４】
指定値入力画面は、操作者が、表示装置３に表示されている表示データ（図３参照）について、例えば、周辺の値との比較を行いたいある値を、指定値として指定し、当該指定値を基準として、プラス方向およびマイナス方向にどこまでの値を、コントラストを調整するかの範囲を、近似範囲として指定するための画面である。すなわち、この実施の形態２においては、近似範囲が、指定値を基準とした、コントラストを調整する範囲となる。
操作者は、指定値入力画面より、指定値を基準として、指定値から近似範囲にある値を、コントラストを調整する範囲の値として指定することができる。具体的には、例えば、操作者は、３６０を指定値とし、３６０の前後１００、すなわち、２６０〜４６０までの値の表示データについて、コントラストを調整して３６０との近似度合いを表示させたい場合、入力装置２であるキーボード等より、指定値入力部２６０１に指定値３６０を入力し、近似範囲入力部２６０２に１００を入力する。なお、ここでは、図３に示すように、表示装置３に表示させている表示データの最小値は３００であるので、実質、３００〜４６０までの値のデータが、コントラストを調整して表示させる値として指定されることになる。
【００８５】
図２７は、この発明の実施の形態２に係る情報表示制御装置１において、「表示装置３に表示させている表示データについて、操作者からの指示に基づき、コントラストを調整して表示させるようにする」動作を説明するフローチャートである。
図２７で説明する動作は、図２４を用いて説明した「操作者からの指示に基づき、データ格納ファイル４に格納されているデータに基づく画像を表示装置３に表示させる」動作が行われ、表示装置３には、データ格納ファイル４に格納されているデータを表示するデータ表示画面、指定値入力画面、コントラスト調整値入力画面が表示されていることを前提とする。
ここでは、表示装置３には、図３，図２５，図２６で説明したような、データ表示画面（図３）、指定値入力画面（図２６）、コントラスト調整値入力画面（図２５）が表示されているものとして以下説明する。
【００８６】
入力受付部１１は、入力装置２から、指定値を基準とした近似範囲におけるコントラスト調整指示を受け付けたかどうかを判断する（ステップＳＴ２７０１）。具体的には、入力受付部１１は、入力装置２から、表示装置３に表示させている表示データのうちの指定値の情報と、当該指定値を基準としてプラス方向およびマイナス方向にどこまでの値を近似範囲とするかの情報と、指定値におけるコントラスト調整値を指示する情報を含む指示情報を受け付けたかどうかを判断する。なお、このとき、入力受付部１１は、入力装置２は、指定値の指示情報を受け付けたにも関わらず、近似範囲の指示情報を受け付けなかった場合、すなわち、操作者が、指定値のみ入力し、近似範囲については入力しなかった場合、入力受付部１１は、表示装置３に表示させている表示データの最小値と指定値との差分と、表示装置３に表示されている表示データの最大値と指定値との差分とを比較し、大きいほうの差分を、近似範囲として受け付けたものとみなす。例えば、表示装置３には、図３に示すような表示データに基づく画像が表示されているものとし、操作者は、図２６に示すような指定値入力画面から指定値３６０のみ入力したとする。この場合、入力受付部１１は、指定値３６０と最小値３００との差分４０よりも、指定値３６０と最大値６００との差分２４０の方が大きいため、±２４０を近似範囲として受け付けたものとみなす。
【００８７】
ステップＳＴ２７０１において、コントラスト調整指示を受け付けていない場合（ステップＳＴ２７０１の“ＮＯ”の場合）、ステップＳＴ２７０１の処理を繰り返し、コントラスト調整指示を受け付けるまで待機する。
【００８８】
ステップＳＴ２７０１において、コントラスト調整指示を受け付けた場合（ステップＳＴ２７０１の“ＹＥＳ”の場合）、入力受付部１１は、受け付けた指示情報を表示データ作成部１２へ出力し、ステップＳＴ２７０２へ進む。
ここでは、操作者は、例えば、図２６に示す指定値入力画面より、指定値３６０、近似範囲±１００を入力し、図２５に示すコントラスト調整値入力画面より、指定値３６０におけるコントラスト調整値１００％を入力したものとする（図２８参照）。なお、図２８では、指定値入力画面とコントラスト調整値入力画面をあわせて示している。
ステップＳＴ２７０１において、入力受付部１１は、指定値と、当該指定値を基準とした近似範囲と、指定値におけるコントラスト調整値とを指示情報として受け付けたかどうかを判断する。指定値、近似範囲、指定値にけるコントラスト調整値の全ての情報が指示情報に含まれていない場合は、ステップＳＴ２７０１へ戻るものとする。
【００８９】
範囲特定部１２２は、入力受付部１１から出力された指示情報に基づき、表示装置３に表示させている表示データのうち、コントラストを調整する範囲を特定し、当該特定した範囲の情報を、指示情報に含まれる指定値および当該指定値におけるコントラスト調整値の情報とともに、調整部１２３に出力する（ステップＳＴ２７０２）。具体的には、表示装置３に表示させている表示データは、図２４のステップＳＴ２４０２において一時保存されているので、範囲特定部１２２は、当該一時保存されている表示データから、データの値が３００〜４６０までの表示データを特定し、当該特定した表示データを抽出する。そして、範囲特定部１２２は、抽出した表示データとともに、指定値３６０、および、指定値におけるコントラスト調整値１００％の情報を、調整部１２３に出力する。
【００９０】
調整部１２３は、範囲特定部１２２から取得した表示データについて、コントラストを調整して、調整後表示データを作成する（ステップＳＴ２７０３）。具体的には、調整部１２３は、指定値、ここでは、３６０を表示させる文字の背景部分の色の濃度を１００％とし、２６０および４６０を表示する文字の背景部分の色の濃度が０％となるよう、３００〜４６０を表示する文字の背景部分の色の濃度が、値に応じて、指定値と近い値ほど正比例の関係でなだらかに濃く変化するよう、調整後表示データを作成する。
調整部１２３は、調整後表示データを表示データ作成部１２のデータ作成部１２１へ出力する。
【００９１】
データ作成部１２１は、調整後表示データと、図２４のステップＳＴ２４０２において一時保存されている表示データとに基づき、調整後表示データの内容を反映させた表示データを作成する（ステップＳＴ２７０４）。
具体的には、データ作成部１２１は、一時保存されている表示データのうち、調整後表示データと重複するデータについて、調整後表示データに置き換えたデータを、表示データとして作成する。そして、データ作成部１２１は、作成した表示データを、作成データ表示制御部１３３へ出力する。
【００９２】
作成データ表示制御部１３３は、データ作成部１２１から取得した表示データに基づく画像を表示装置３に表示させる（ステップＳＴ２７０５）。すなわち、調整部１２３によりコントラストが調整された表示データに基づく画像を表示装置３に表示されるようになる。
図２９は、図２７のステップＳＴ２７０５において、作成データ表示制御部１３３が表示装置３に表示データに基づく画像を表示させた表示画面の一例を示す図である。
図２９に示すように、３００以上３６０までの値について、文字の背景部分の色が徐々に濃くなり、３６０以上４６０までの値について、文字の背景部分の色が徐々に薄く表示されるようになる。また、４６０以上６００までの文字の背景部分の色は、図３に示した背景部分の色から変化しない。
【００９３】
図３０は、図２９に示すような、調整後表示データが反映された表示データに基づく画像を表示装置３に表示させた場合の、表示データの値と表示される文字の背景部分の色の色濃度の関係の一例を示す概念図である。図３０に示すように、３００から指定値である３６０にかけて、正比例の関係でなだらかに文字の背景部分の色の濃度が濃くなり、指定値である３６０から４６０にかけて、反比例の関係でなだらかに文字の背景部分の色の濃度が薄くなる。すなわち、近似範囲内において、指定値に近い値を表示する文字の背景部分の色の色濃度ほど、濃く表示される。
【００９４】
以上のように、「表示装置３に表示させている表示データについて、操作者からの指示に基づき、コントラストを調整して表示させるようにする」動作において、操作者の指示に基づき、表示装置３に表示させている表示データの文字の背景部分の色の色濃度のコントラストが調整されて表示されるようになる。
これにより、表示装置３に表示される表示データのうち、指定された近似範囲内で、指定値と、その周辺値との近似度合いをつかみやすいように表示データを表示させることができる。その結果、操作者の、表示画面から数値情報を読取る作業への負担を少なくし、誤読や見落としを低減することができる。また、操作者は、表示データ内に探したい値、すなわち、指定値がある場合に、当該探したい指定値を容易に探せるようになる。また、操作者は、表示データ内に指定値がない場合にも、その周辺値を簡単に把握することができ、代替候補の値を容易に選定できるようになる。
【００９５】
また、ここでは、図２７のステップＳＴ２７０５において、表示装置３に調整後表示データを反映させた表示データを表示させた後、処理終了するものとしたが、再度、操作者から調整指示を受け付け、コントラストの調整を再度行うようにしてもよい。
【００９６】
また、近似範囲内における中間値を特定するための差分値をさらに指定し、指定値から中間値までの文字の背景部分の色の色濃度の変化率と、中間値から近似範囲内の最大値および最小値までの文字の背景部分の色の色濃度の変化率とを変えるようにすることもできるので、以下詳細に説明する。
図３１は、この実施の形態２において、操作者によって、指定値に加え、差分値が指定された場合の「表示装置３に表示させている表示データについて、操作者からの指示に基づき、コントラストを調整して表示させるようにする」動作を説明するフローチャートである。
図３１で説明する動作も、図２７で説明した動作同様、「操作者からの指示に基づき、データ格納ファイル４に格納されているデータに基づく画像を表示装置３に表示させる」動作が行われ、表示装置３には、データ格納ファイル４に格納されているデータを表示するデータ表示画面、指定値入力画面、コントラスト調整値入力画面が表示されていることを前提とする。
【００９７】
ここでは、表示装置３には、図３に示したデータ表示画面が表示されているものとする。
指定値入力画面については、指定値表示制御部１３１が、図３２に示すように、指定値入力部２６０１、近似範囲入力部２６０２に加え、差分値入力部３２０１を備えた指定値入力画面を表示装置３に表示させるようにする（図２７のステップＳＴ２７０４参照）。
なお、この実施の形態２において、差分値とは、指定値から、近似範囲内の最小値および最大値までの間における中間値を算出するための、指定値からプラス方向に増加させる差分、および、指定値からマイナス方向に減少させる差分をいうものとする。すなわち、指定値３６０、差分値±４０と入力されたとすると、範囲特定部１２２によって、プラス方向の中間値として４００、マイナス方向の中間値として３２０が算出される。詳細については後述する。
【００９８】
また、コントラスト調整値入力画面については、コントラスト表示制御部１３２が、図３２に示すように、スライダ２５０１とノブ２５０２に加え、スライダ３２０２とノブ３２０３とを備えたコントラスト調整値入力画面を表示装置３に表示させるようにする（図２７のステップＳＴ２７０５参照）。なお、コントラスト表示制御部１３２は、スライダ２５０１，ノブ２５０２を、指定値入力画面の指定値入力部２６０１に対応させ、スライダ３２０２，ノブ３２０３を、指定値入力画面の差分値入力部３２０１に対応させて表示させるようにする。ここでいう対応させるとは、例えば、横に並べて表示することをいうが、これに限らず、指定値におけるコントラスト調整値を入力させる入力部であること、および、差分値から算出される中間値におけるコントラスト調整値を入力させる入力部であることがわかるように表示されていればよい。
【００９９】
操作者は、入力装置２であるキーボード等を介して、差分値入力部３２０１に、指定値から、近似範囲内の最小値および最大値までの間で、文字の背景部分の色の色濃度の変化率を変える境の値となる中間値を算出するための差分となる差分値を入力することができる。また、操作者は、入力装置２であるマウスカーソル等を介して、ノブ３２０３をスライドさせることで、中間値におけるコントラスト調整値を指定することができる。
【０１００】
入力受付部１１は、入力装置２から、コントラスト調整指示を受け付けたかどうかを判断する（ステップＳＴ３１０１）。具体的な動作は、図２７のステップＳＴ２７０１と同様であるため、重複した説明を省略する。
ステップＳＴ３１０１において、コントラスト調整指示を受け付けていない場合（ステップＳＴ３１０１の“ＮＯ”の場合）、ステップＳＴ３１０１の処理を繰り返し、コントラスト調整指示を受け付けるまで待機する。
ステップＳＴ３１０１において、コントラスト調整指示を受け付けた場合（ステップＳＴ３１０１の“ＹＥＳ”の場合）、入力受付部１１は、差分値指示を受け付けたかどうかを判断する（ステップＳＴ３１０２）。具体的には、入力受付部１１は、入力装置２から、差分値の情報を指示情報として受け付けたかどうかを判断する。
【０１０１】
ステップＳＴ３１０２において、差分値指示を受け付けていない場合（ステップＳＴ３１０２の“ＮＯ”の場合）、図２７のステップＳＴ２７０２に進む。以降、図２７で説明した処理を行う。
【０１０２】
ステップＳＴ３１０２において、差分値指示を受け付けた場合（ステップＳＴ３１０２の“ＹＥＳ”の場合）、入力受付部１１は、受け付けた指示情報を表示データ作成部１２へ出力し、ステップＳＴ３１０３へ進む。ここでは、例えば、操作者は、図３２に示すように、指定値入力画面より、指定値入力部２６０１には３６０を入力し、近似範囲入力部２６０２には±１００を入力し、差分値入力部３２０１には±４０を入力したものとする。また、操作者は、図３２に示すように、コントラスト調整値入力画面より、指定値３６０におけるコントラスト調整値として濃度１００％、中間値におけるコントラスト調整値として濃度２０％を指定したものとする。なお、この場合の、ステップＳＴ３１０１で入力受付部１１が受け付けた指示情報には、コントラストを調整する近似範囲として指定値３６０の±１００の範囲、すなわち、２６０〜４６０の範囲とする情報と、指定値３６０の情報と、差分値±４０の情報と、指定値３６０におけるコントラスト調整値１００％の情報と、中間値におけるコントラスト調整値２０％の情報とが含まれる。
【０１０３】
範囲特定部１２２は、入力受付部１１から出力された指示情報に基づき、指定値を基準とした、プラス方向の中間値、および、マイナス方向の中間値をそれぞれ算出する（ステップＳＴ３１０３）。具体的には、範囲特定部１２２は、指定値から、差分値をプラスマイナスすることで、プラス方向の中間値、および、マイナス方向の中間値をそれぞれ算出する。例えば、ここでは、指定値３６０、差分値±４０が指定されたものとしているので、範囲特定部１２２は、プラス方向の中間値４００、マイナス方向の中間値３２０を算出する。
【０１０４】
範囲特定部１２２は、表示装置３に表示させている表示データのうち、指定値からプラス方向の中間値までの範囲、および、指定値からマイナス方向の中間値までの範囲を特定し、当該特定した範囲の情報を、指示情報に含まれる中間値におけるコントラスト調整値の情報とともに、調整部１２３に出力する（ステップＳＴ３１０４）。具体的には、表示装置３に表示させている表示データは、図２７のステップＳＴ２７０２において一時保存されているので、範囲特定部１２２は、当該一時保存されている表示データから、データの値が３２０〜３６０、３６０〜４００までの表示データを特定し、当該特定した表示データをそれぞれ抽出する。そして、範囲特定部１２２は、抽出した表示データとともに、コントラスト調整値２０％の情報を、調整部１２３に出力する。
【０１０５】
調整部１２３は、ステップＳＴ３１０４において範囲特定部１２２から取得した表示データについて、コントラストを調整して、第１の調整後表示データを作成する（ステップＳＴ３１０５）。具体的には、調整部１２３は、指定値３６０を表示する文字の背景部分の色の色濃度が１００％、中間値３２０を表示する文字の背景部分の色の色濃度が２０％となるよう、取得した表示データに含まれる３２０〜３６０までの値の表示データを調整し、第１の調整後表示データを作成する。また、調整部１２３は、指定値３６０を表示する文字の背景部分の色の色濃度が１００％、中間値４００を表示する文字の背景部分の色の色濃度が２０％となるよう、取得した表示データに含まれる３６０〜４００までの値の表示データについてもコントラストを調整し、あわせて第１の調整後表示データとする。
この時、調整部１２３は、取得した表示データに含まれる、３２０〜３６０までの値を表示する文字の背景部分の色の色濃度、および、３６０〜４００までの値を表示する文字の背景部分の色の色濃度は、それぞれ、指定値に近い値ほど濃くなるよう、値の大きさに応じて正比例の関係でなだらかに変化するように、第１の調整後表示データを作成する。
調整部１２３は、第１の調整後表示データを表示データ作成部１２のデータ作成部１２１へ出力する。
【０１０６】
範囲特定部１２２は、入力受付部１１から出力された指示情報に基づき、表示装置３に表示させている表示データのうち、近似範囲内の最小値から中間値、および、中間値から近似範囲内の最大値までの範囲をそれぞれ特定し、当該特定した範囲の情報を、指示情報に含まれる指定値および中間値におけるコントラスト調整値の情報とともに、調整部１２３に出力する（ステップＳＴ３１０６）。具体的には、表示装置３に表示させている表示データは、図２７のステップＳＴ２７０２において一時保存されているので、範囲特定部１２２は、当該一時保存されている表示データから、データの値が３００〜３２０，４００〜６００までの表示データを特定し、当該特定した表示データを抽出する。そして、範囲特定部１２２は、抽出した表示データとともに、指定値におけるコントラスト調整値１００％の情報と、中間値におけるコントラスト調整値２０％の情報を、調整部１２３に出力する。
【０１０７】
調整部１２３は、ステップＳＴ３１０６において範囲特定部１２２から取得した表示データについて、コントラストを調整して、第２の調整後表示データを作成する（ステップＳＴ３１０７）。具体的には、調整部１２３は、中間値３２０，４００を表示する文字の背景部分の色の色濃度が２０％、中間値３２０，４００それぞれから、近似範囲の最小値，最大値である３００，４６０を表示する文字の背景部分の色の色濃度が薄くなるよう、取得した表示データに含まれる３００〜３２０，４００〜６００までの表示データのコントラストを調整し、第２の調整後表示データを作成する。なお、近似範囲の最小値である３００を表示させる文字の背景部分の色の濃度については、例えば、調整部１２３は、指定値３６０からマイナス方向へ単純に１００減算した値である２６０を表示させていたと仮定し、２６０を表示させる文字の背景部分の色の濃度を０％とし、中間値３２０を表示させる文字の背景部分の色の濃度２０％とするまでの傾きから決定するようにすればよい。
調整部１２３は、第２の調整後表示データを表示データ作成部１２のデータ作成部１２１へ出力する。
【０１０８】
データ作成部１２１は、第１の調整後表示データと、第２の調整後表示データと、図２７のステップＳＴ２７０２において一時保存されている表示データとに基づき、第１の調整後表示データおよび第２に調整後表示データの内容を反映させた表示データを作成する（ステップＳＴ３１０８）。
具体的には、データ作成部１２１は、一時保存されている表示データのうち、第１の調整後表示データあるいは第２の調整後表示データと重複するデータについて、それぞれ、第１の調整後表示データあるいは第２の調整後表示データに置き換えたデータを、表示データとして作成する。すなわち、ここでは、データ作成部１２１は、中間値３２０から指定値３６０まで、および、指定値３６０から中間値４００までは第１の調整後表示データ、表示装置３に表示させていた表示データの最小値３００から中間値３２０まで、および、中間値４００から近似範囲の最大値４６０までは第２の調整後表示データ、近似範囲の最大値４６０から表示装置３に表示させていた表示データの最大値６００までは調整前の表示データの内容となる表示データを作成する。
そして、データ作成部１２１は、作成した表示データを、作成データ表示制御部１３３へ出力する。
【０１０９】
作成データ表示制御部１３３は、データ作成部１２１から取得した表示データに基づく画像を表示装置３に表示させる（ステップＳＴ３１０９）。
図３３は、図３１のステップＳＴ３１０９において、作成データ表示制御部１３３が表示装置３に表示データに基づく画像を表示させた表示画面の一例を示す図である。
図３３に示すように、４６０〜６００までの文字の背景部分の色濃度は、コントラスト調整前の色濃度（図３参照）と変わらず表示され、３００以上３２０までの文字の背景部分の色の色濃度がなだらかに濃くなって表示され、さらに、３２０以上３６０までの文字の背景部分の色についても、なだらかに濃くなって表示される。この時、３００以上３２０までの文字の背景部分の色の色濃度の変化率より、３２０以上３６０までの文字の背景部分の色の色濃度の変化率のほうが大きくなっている。
また、３６０以上４００までの文字の背景部分の色の色濃度がなだらかに薄くなって表示され、さらに、４００以上４６０までの文字の背景部分の色についても、なだらかに薄くなって表示される。この時、３６０以上４００までの文字の背景部分の色の色濃度の変化率のほうが、４００以上４６０までの文字の背景部分の色の色濃度の変化率より大きくなっている。
【０１１０】
図３４は、図３３に示すような、調整後表示データが反映された表示データに基づく画像を表示装置３に表示させた場合の、表示データの値と表示される文字の背景部分の色の濃度の関係の一例を示す概念図である。図３４に示すように、３００から中間値３２０にかけて、および、中間値３２０から指定値３６０にかけて、正比例の関係でなだらかに文字の背景部分の色の色濃度が濃くなる。このとき、中間値３２０から指定値３６０にかけての傾きのほうが、３００から中間値３２０にかけての傾きより急峻になっている。また、指定値３６０から中間値４００にかけて、および、中間値４００から近似範囲の最大値４６０にかけて、反比例の関係でなだらかに文字の背景部分の色の色濃度が薄くなる。このとき、指定値３６０から中間値４００にかけての傾きのほうが、中間値４００から最大値４６０にかけての傾きより急峻になっている。
【０１１１】
すなわち、３００〜３２０までと、３２０〜３６０までとでは、文字の背景部分の色の色濃度の変化率が異なり、３２０〜３６０までの範囲では、差分が視覚的に把握されやすい表示となっている。
また同様に、３６０〜４００までと、４００〜４６０までとでは、文字の背景部分の色の色濃度の変化率が異なり、３６０〜４００までの範囲では、差分が視覚的に把握されやすい表示となっている。
【０１１２】
このように、この実施の形態２に係る情報表示制御装置１では、指定値を含み、当該指定値からプラス方向、マイナス方向に指定された値で特定される近似範囲内において、コントラスト差を変化させる割合を変えることで、特に指定値周辺の値の差分のコントラストの変化率を大きくして、視覚的に把握しやすいようにすることができる。
【０１１３】
また、図３１を用いた上述の説明では、近似範囲内における中間値を特定するための差分値は１つのみ指定できる例を示したが、これに限らず、差分値はいくつ設定してもよい。すなわち、中間値はいくつ設定してもよい。
例えば、図３５に示すように、指定値表示制御部１３１は、指定値入力画面には、差分値追加ボタン３２０７を表示させるようにし、操作者は、マウスカーソル等の入力装置２より指定値入力画面に表示されている差分値追加ボタン３２０７の押下に応じて、差分値入力部３２０１と、当該差分値入力部３２０１に対応するスライダ３２０２およびノブ３２０３、さらに、差分値入力部３２０４と、当該差分値入力部３２０４に対応するスライダ３２０５およびノブ３２０６を表示させる指示を行い、当該指示に基づき、指定値表示制御部１３１およびコントラスト表示制御部１３２が、それぞれ、図３５に示すような指定値入力画面およびコントラスト調整値入力画面を表示させるようにする。
そして、操作者によって入力された差分値に応じて、範囲特定部１２２がコントラストを調整する範囲およびコントラスト調整値の情報を調整部１２３に出力し、調整部１２３において、範囲特定部１２２から取得したコントラストを調整する範囲およびコントラスト調整値の情報に基づき、それぞれ、調整後表示データを作成するようにすればよい。
なお、図３５においては、差分値を２つ指定するものとしているが、さらに差分値追加ボタン３２０７を押下することで、差分値入力部を追加でき、３つ以上の差分値を指定するようにすることもできる。
【０１１４】
また、図３１を用いた上述の説明では、操作者は、差分値は指定値入力画面、コントラスト調整値はコントラスト調整値入力画面より入力するものとして説明したが、これに限らず、実施の形態１同様、例えば、指定値表示制御部１３１、あるいは、コントラスト表示制御部１３２が、差分値とコントラスト調整値を同時に指定できるような入力画面を表示させるようにしてもよい（図２０参照）。
【０１１５】
また、この実施の形態２では、操作者が、コントラスト調整値入力画面から、コントラスト調整値を指定するものとしたが、これに限らず、情報表示制御装置１がコントラスト調整値を設定するものとしてもよい。
具体的には、入力受付部１１は、入力装置２から、表示装置３に表示させているデータのうちの指定値、当該指定値を基準としてプラス方向およびマイナス方向にどこまでの値を、コントラストを調整する範囲とするかの近似範囲を指示する指示情報のみを受け付け、範囲特定部１２２に出力する。範囲特定部１２２では、入力受付部１１から取得した、近似範囲の表示データと指定値の情報とを、調整部１２３に出力する。
そして、調整部１２３では、図示しない要部帯域定義ファイルを参照し、当該要部帯域定義ファイルに基づきコントラストを調整する。
【０１１６】
要部帯域定義ファイルには、予め、データ格納ファイル４に格納されているデータの値について、当該データの利用用途等に基づき、各値を指定値とした場合の、当該指定値からプラス方向の値、マイナス方向の値のコントラスト調整値が定義されているものとする。すなわち、要部帯域定義ファイルには、各データを指定値とした場合の、当該指定値の周辺の値のコントラスト差の割り当てが定義されているものとする。要部帯域定義ファイルに定義されるコントラストを調整する範囲の値のコントラスト差の割り当ては、例えば、システムの用途、あるいは、目的に沿って注視されるべき値の帯域が割り当てられていればよい。
コントラスト差は、例えば、指定値を基準としたコントラスト差とすればよく、調整部１２３が、要部帯域定義ファイルに基づき、どの程度のコントラスト調整を行えばよいかを判断できるようになっていればよい。
なお、利用用途に応じてコントラストを調整する具体例としては、実施の形態１で説明したものと同様の例があげられる。
調整部１２３は、範囲特定部１２２から取得した近似範囲の表示データおよび指定値の情報と、要部帯域定義ファイルで定義されている、各データを指定値とした場合のコントラスト差の割り当てとを突き合わせ、予め定義されているコントラスト調整値に基づいて、調整後表示データを作成する。
【０１１７】
また、この実施の形態２では、指定値入力画面には近似範囲入力部２６０２を備えず、操作者による差分値の入力を不要とし、情報表示制御装置１が自動的に近似範囲を設定するものとしてもよい。
具体的には、入力受付部１１は、入力装置２から、表示装置３に表示させているデータのうちの指定値を指示する指示情報のみを受け付け、範囲特定部１２２に出力する。範囲特定部１２２は、入力受付部１１から取得した、指定値の情報に基づき、図示しない近似度合い定義ファイルを参照し、当該近似度合い定義ファイルに基づき、近似範囲を特定し、特定した近似範囲の表示データを指定値の情報とともに、調整部１２３に出力する。
【０１１８】
近似度合い定義ファイルには、予め、データ格納ファイル４に格納されているデータの値について、データの利用用途等に基づき、それぞれ、格納されているデータを指定値とした場合の近似範囲が定義されているものとする。
範囲特定部１２２は、入力受付部１１から取得した指定値の情報から、近似度合い定義ファイルを参照し、どの範囲を近似範囲とすべきかを特定する。
【０１１９】
また、この実施の形態２では、操作者は、近似範囲、および、コントラスト調整値を指定せず、情報表示制御装置１が近似範囲およびコントラスト調整値を自動的に設定するものとしてもよい。情報表示制御装置１による近似範囲およびコントラスト調整値の具体的な設定方法は、上述したとおりである。
【０１２０】
また、この実施の形態２では、調整部１２３は、表示する文字の背景部分の色の色濃度を、値の大きさに応じて正比例の関係でなだらかに変化するよう、調整後表示データを作成するものとしたが、これに限らず、調整部１２３は、表示する文字の背景部分の色の色濃度を、予め決められた関数を用いて調整し、調整後表示データを作成するようにしてもよい。
図３６は、実施の形態２において、調整部１２３が、予め決められた関数を用いて表示する文字の背景部分の色の色濃度を調整するようにした場合の、表示データ値と表示される文字の背景部分の色の濃度の関係の一例のイメージをグラフで示した概念図である。
また、この実施の形態２においても、実施の形態１同様、例えば、予め、コントラストを調整する際に表示する文字の背景部分の色の色濃度を、値と対応付けて定義した処理内容定義ファイルを用意しておくようにし、調整部１２３は、表示する文字の背景部分の色の色濃度を、当該処理内容定義ファイルに基づいて調整し、調整後表示データを作成するようにしてもよい。
【０１２１】
また、この実施の形態２では、コントラスト調整値を、マウスカーソル等でスライダ２５０１上のノブ２５０２をスライドさせることで入力するものとしたが、これに限らず、例えば、操作者は、入力装置２であるキーボード等より、数値を入力する等、その他の方法によってコントラスト調整値を入力するようにしてもよい。
【０１２２】
また、この実施の形態２では、表示データのコントラスト差を変化させるための因子を文字の背景部分の色の色濃度としたが、色の濃度とは、色の明るさ、色相すなわち色合い、彩度すなわち鮮やかさ、などの要素を単独で用いるものとしてもよいし、複数の要素を組み合わせて用いるものとしてもよい。
【０１２３】
また、この実施の形態２では、一例として、表示データのコントラスト差を変化させるための因子を文字の背景部分の色の色濃度としたが、これに限らず、例えば、文字のサイズ、色、太さ、書体の形状的特徴を、コントラスト差を変化させるための因子としてもよい。また、複数のコントラスト差を変化させるための因子を組み合わせ、指定された範囲ごとに当該因子を割り当てるようにしてもよい。
【０１２４】
また、この実施の形態２では、指定値を基準とした近似範囲について、当該近似範囲の上限側の値と、下限側の値とが、指定値から等しく離れているものとしたが、これは一例にすぎず、指定値を基準とした近似範囲の上限側の値と、下限側の値とで、指定値からの差分が異なるようにしてもよい。
その場合、指定値表示制御部１３１は、近似範囲の上限側の値と下限側の値とをそれぞれ入力可能な指定値入力画面を表示させるようにし、操作者は、入力装置２より、近似範囲の上限側の値と下限側の値とをそれぞれ指定するようにすればよい。
【０１２５】
以上のように、実施の形態２によれば、表示装置３へ表示させている表示データのうち、指定した指定値、すなわち、指定値を基準とする近似範囲内の値について、指定値を頂点として、当該指定値に近似した値ほどコントラスト差を大きく変化させて表示させるようにしたため、近似範囲内の値は、近似範囲外の、コントラスト差を変化させていない値に対して目立つ度合いが大きくなり、例えば、複数の表示された値の中に探したい値がある場合に、当該値を容易に探すことが可能となる。また、複数の表示された値の中に探したい値そのものがない場合にも、代替候補の値を容易に探せるようになる。また、例えば、代替候補の探索範囲を近似範囲とすれば、代替候補の限界値も容易に探せるようにすることができる。
その結果、操作者の、表示画面から数値情報を読取る作業への負担を少なくし、誤読や見落としを低減することができる。
【０１２６】
なお、実施の形態１，２において、情報表示制御装置１は、図１で示すような構成としたが、情報表示制御装置１は、表示データ作成部１２と、表示制御部１３とを備えることにより、上述したような効果が得られるものである。
【０１２７】
また、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【０１２８】
この発明に係る情報表示制御装置は、表示装置に表示させる表示データについて、値の多寡を比較する範囲内において、コントラスト差の程度を調整することができるように構成したため、表示画面上に情報を表示させる情報表示制御装置等に適用することができる。
【符号の説明】
【０１２９】
１  情報表示制御装置、２  入力装置、３  表示装置、４  データ格納ファイル、１１  入力受付部、１２  表示データ作成部、１３  表示制御部、１２１  データ作成部、１２２  範囲特定部、１２３  調整部、１３１  指定値表示制御部、１３２  コントラスト表示制御部、１３３  作成データ表示制御部、４０１  上限方向指定ボタン、４０２  下限方向指定ボタン、４０３，４０４  指定値入力部、５０１，１５０２，１５０５，２５０１，３２０２，３２０５  スライダ、５０２，１５０３，１５０６，２５０２，３２０３，３２０６  ノブ、１５０１，１５０４  中間値入力部、１５０７  中間値追加ボタン、２３０１  処理回路、２３０２  ＨＤＤ、２３０３  メモリ、２３０４  ＣＰＵ、２６０１  指定値入力部、２６０２  近似範囲入力部、３２０１，３２０４  差分値入力部、３２０７  差分値追加ボタン。
【図１】
2017175271.tif 000003
【図２】
2017175271.tif 000004
【図３】
2017175271.tif 000005
【図４】
2017175271.tif 000006
【図５】
2017175271.tif 000007
【図６】
2017175271.tif 000008
【図７】
2017175271.tif 000009
【図８】
2017175271.tif 000010
【図９】
2017175271.tif 000011
【図１０】
2017175271.tif 000012
【図１１】
2017175271.tif 000013
【図１２】
2017175271.tif 000014
【図１３】
2017175271.tif 000015
【図１４】
2017175271.tif 000016
【図１５】
2017175271.tif 000017
【図１６】
2017175271.tif 000018
【図１７】
2017175271.tif 000019
【図１８】
2017175271.tif 000020
【図１９】
2017175271.tif 000021
【図２０】
2017175271.tif 000022
【図２１】
2017175271.tif 000023
【図２２】
2017175271.tif 000024
【図２３】
2017175271.tif 000025
【図２４】
2017175271.tif 000026
【図２５】
2017175271.tif 000027
【図２６】
2017175271.tif 000028
【図２７】
2017175271.tif 000029
【図２８】
2017175271.tif 000030
【図２９】
2017175271.tif 000031
【図３０】
2017175271.tif 000032
【図３１】
2017175271.tif 000033
【図３２】
2017175271.tif 000034
【図３３】
2017175271.tif 000035
【図３４】
2017175271.tif 000036
【図３５】
2017175271.tif 000037
【図３６】
2017175271.tif 000038
【手続補正書】
【提出日】平成30年2月28日(2018.2.28)
【手続補正１】
【補正対象書類名】明細書
【補正対象項目名】０００６
【補正方法】変更
【補正の内容】
【０００６】
この発明に係る情報表示制御装置は、表示装置に表示させている表示データのうち、指定値を基準とした範囲の表示データについて、当該表示データの値と指定値との差に応じて、表示装置に表示させている表示データのコントラストとのコントラスト差を変化させた表示データを作成する表示データ作成部と、表示データ作成部が作成したコントラスト差を変化させた表示データを、表示装置に表示させる表示制御部とを備えたものである。
【手続補正２】
【補正対象書類名】特許請求の範囲
【補正対象項目名】全文
【補正方法】変更
【補正の内容】
【特許請求の範囲】
【請求項１】
表示装置に表示させている表示データのうち、指定値を基準とした範囲の表示データについて、当該表示データの値と前記指定値との差に応じて、前記表示装置に表示させている表示データのコントラストとのコントラスト差を変化させた表示データを作成する表示データ作成部と、
前記表示データ作成部が作成した前記コントラスト差を変化させた表示データを、前記表示装置に表示させる表示制御部
とを備えた情報表示制御装置。
【請求項２】
前記表示データ作成部は、
前記指定値を基準とした範囲の表示データの値と前記指定値との差に応じて、前記コントラスト差を大きくした表示データを作成する
ことを特徴とする請求項１記載の情報表示制御装置。
【請求項３】
前記指定値を基準とした範囲の表示データとは、前記表示装置に表示させている表示データのうち、当該表示データの値が、前記指定値以上、あるいは、前記指定値以下の範囲の表示データである
ことを特徴とする請求項１記載の情報表示制御装置。
【請求項４】
前記指定値を基準とした範囲の表示データの最大値、あるいは、最小値における前記コントラスト差が指定された指定情報を受け付ける入力受付部を備え、
前記表示データ作成部は、前記入力受付部が受け付けた指定情報に基づき、前記指定されたコントラスト差までの範囲内で、前記コントラスト差を変化させた表示データを作成する
ことを特徴とする請求項１記載の情報表示制御装置。
【請求項５】
前記表示データ作成部は、前記コントラスト差を、前記表示装置に表示させている表示データの利用用途に基づき設定されたコントラスト差とする
ことを特徴とする請求項１記載の情報制御装置。
【請求項６】
前記表示データ作成部は、前記指定値を基準とした範囲の表示データの値の分布状況に応じてコントラスト差を決定する
ことを特徴とする請求項１記載の情報表示制御装置。
【請求項７】
前記指定値における前記コントラスト差が指定された指定情報を受け付ける入力受付部を備え、
前記表示データ作成部は、前記入力受付部が受け付けた指定情報に基づき、前記指定値における前記コントラスト差までの範囲内で、前記コントラスト差を変化させた表示データを作成する
ことを特徴とする請求項１記載の情報表示制御装置。
【請求項８】
前記指定値を基準とした範囲の表示データとは、前記表示装置に表示させている表示データのうち、当該指定値を含む、当該指定値よりも決められた値だけ小さい値から、当該指定値よりも決められた値だけ大きい値までの範囲の表示データである
ことを特徴とする請求項１記載の情報表示制御装置。
【請求項９】
前記指定値よりも小さい値および前記指定値よりも大きい値とが指定された指定情報を受け付ける入力受付部を備え、
前記表示データ作成部は、前記入力受付部が受け付けた指定情報に基づき前記指定値を基準とした範囲を特定し、当該特定した範囲の表示データについて、前記コントラスト差を変化させた表示データを作成する
ことを特徴とする請求項８記載の情報表示制御装置。
【国際調査報告】
2017175271.tif 000039
2017175271.tif 000040